(57)【要約】【課題】  複数領域それぞれにおいて表示する画像に対するユーザの視認性を低減させることなく、簡便な操作によって画像のスクロールを実現できる表示装置を実現する。【解決手段】  本発明の表示装置１０は、画像をスクロールさせて表示可能とする範囲であるスクロール範囲を分割し、配置を固定させて表示させる範囲である固定範囲を設定する表示制御部１３と、上記画像に対するスクロールを指示するスクロール指示を受け付ける操作部１４と、操作部１４がスクロール指示を受け付けた場合、スクロール範囲と分割固定範囲との位置関係を判定する分割固定範囲位置判定部３１と、この分割固定範囲位置判定部３１による判定結果に応じて、スクロール範囲を変更させるスクロール範囲変更指示部３３とを備える。このため、複数領域それぞれにおいて表示する画像に対するユーザの視認性を低減させることなく、簡便な操作によって画像のスクロールを実現できる。【選択図】  図１
2007079644.tif 000002
【特許請求の範囲】
【請求項１】
表示領域に表示されている画像をスクロールして表示可能とする表示装置であって、
上記画像をスクロールさせて表示可能とする範囲であるスクロール範囲を分割し、配置を固定させて表示させる範囲である固定範囲を設定する設定手段と、
上記画像に対するスクロールを指示するスクロール指示を受け付ける受け付け手段と、
上記受け付け手段が上記スクロール指示を受け付けた場合、上記スクロール範囲と上記固定範囲との位置関係を判定する判定手段と、
上記判定手段による判定結果に応じて、上記スクロール範囲を変更させる変更手段とを備えることを特徴とする表示装置。
【請求項２】
上記スクロール指示に応じて上記スクロール範囲上を画像が移動する方向を画像移動方向とすると、
上記判定手段は、上記固定範囲の上記画像移動方向側の端部位置と上記スクロール範囲の上記画像移動方向側の端部位置とが一致するか否かを判定する端部判定手段を備え、
上記端部判定手段が、上記固定範囲の上記画像移動方向側の端部位置と上記スクロール範囲の上記画像移動方向側の端部位置とが一致すると判定した場合、上記変更手段は、上記スクロール範囲を、上記固定範囲を除く範囲に変更することを特徴とする請求項１に記載の表示装置。
【請求項３】
上記判定手段は、上記固定範囲を除く範囲に変更されたスクロール範囲と該固定範囲とが、該スクロール範囲の画像移動方向側とは反対側の端部位置において隣接しているか否かを判定する隣接判定手段と、
上記隣接判定手段によって上記スクロール範囲の画像移動方向側とは反対側の端部位置において上記固定範囲と隣接していると判定した場合、この隣接している位置においてスクロール範囲に表示されている画像と固定範囲に表示されている画像とが連続した内容となるか否かを判定する連続判定手段とを備え、
上記連続判定手段が、上記隣接部においてスクロール範囲に表示されている画像と固定範囲に表示されている画像との内容が連続した画像となると判定した場合、上記変更手段は、上記スクロール範囲を、上記固定範囲を含む範囲に変更することを特徴とする請求項２に記載の表示装置。
【請求項４】
上記固定範囲の開始位置を指定する位置指定情報を受け付ける位置指定情報受け付け手段をさらに備え、
上記設定手段は、上記受け付け手段によって受け付けたスクロール指示に応じて、上記位置指定情報受け付け手段によって受け付けた開始位置から、上記スクロール指示に応じて画像が移動する画像移動方向側のスクロール範囲における端部位置までの範囲を固定範囲とすることを特徴とする請求項２または３に記載の表示装置。
【請求項５】
上記固定範囲の開始位置および終了位置を指定する位置指定情報を受け付ける位置指定情報受け付け手段を備え、
上記設定手段は、上記位置指定情報受け付け手段によって指定された開始位置と終了位置とによって規定される矩形範囲を固定範囲として設定することを特徴とする請求項２または３に記載の表示装置。
【請求項６】
上記表示領域に表示される画像は電子データに基づき表示されるものであって
上記設定手段は、上記電子データに付加された情報に基づき、上記固定範囲を設定する
ことを特徴とする請求項１〜３のいずれか１項に記載の表示装置。
【請求項７】
上記電子データに付加された情報は、表示領域に表示させる画像の表示状態を規定するための情報を記述したプログラムにおけるタグであることを特徴とする請求項６に記載の表示装置。
【請求項８】
上記スクロール範囲の設定解除指示を受け付ける設定解除指示受け付け手段と、
上記設定解除指示受け付け手段によって受け付けた設定解除指示に応じて、表示領域において設定されているスクロール範囲を解除するスクロール範囲解除手段とをさらに備えることを特徴とする請求項１〜７のいずれか１項に記載の表示装置。
【請求項９】
表示領域に表示されている画像をスクロールして表示可能とする表示装置の制御方法であって、
上記画像をスクロールさせて表示可能とする範囲であるスクロール範囲を分割し、配置を固定させて表示させる範囲である固定範囲を設定するステップと、
上記画像に対するスクロールを指示するスクロール指示を受け付けるステップと、
上記スクロール指示を受け付けた場合、上記スクロール範囲と上記固定範囲との位置関係を判定するステップと、
上記判定結果に応じて、上記スクロール範囲を変更させるステップとを含むことを特徴とする表示装置の制御方法。
【請求項１０】
請求項１〜８のいずれか１項に記載の表示装置を動作させるための制御プログラムであって、コンピュータを上記各手段として機能させるための表示装置の制御プログラム。
【請求項１１】
請求項１０に記載の表示装置の制御プログラムを記録したコンピュータの読取り可能な記録媒体。
【発明の詳細な説明】
【技術分野】
【０００１】
本発明は、表示領域に表示されている画像をスクロールして表示可能とする表示装置、表示装置の制御方法、表示装置の制御プログラム、および表示装置の制御プログラムを記録した記録媒体に関するものである。
【背景技術】
【０００２】
近年、パーソナルコンピュータ（以下ＰＣ）等の普及に伴い、従来から紙上に記述していた文書または書類を、該ＰＣに備えられた表示部などに表示する機会が増えてきた。例えば、このＰＣでは、表示部において、文字コード、文字コード群、および／または画像データなどから構成される電子データに基づき、文書または書類として文字、文字列および／または図形などの画像を表示する。
【０００３】
上記表示部を備えたＰＣのように、該表示部において文書または書類などの情報を表示可能とする表示装置では、有限な表示領域を有効に活用するため、該表示領域を複数領域に分割する。そして、分割した領域それぞれにおいて、電子データの任意の位置を表示させる技術が知られている。
【０００４】
ここで、このような表示領域を分割し、分割した表示領域それぞれにおいて電子データの任意の位置を表示させる技術の一例について、図４０〜図４２を参照して説明する。なお、この図４０は、表示装置において表示可能な電子データの一例を示す図である。また、図４１は、図４０に示す電子データの表示例を示す図である。
【０００５】
図４０に示す電子データ１００は、文字を示す文字コード、および改行などを示す制御コードから構成されている。そして、この電子データ１００に基づき表示装置において表示させた場合、図４１のように、電子データ１００の一部が表示されるものとする。
【０００６】
なお、この図４１において太線の矩形で表す範囲１０１は、表示領域においてスクロールを可能とする範囲（スクロール範囲）であり、このスクロール範囲１０１内で表示される文字が例えば上下方向に移動可能となるものとする。
【０００７】
このように、電子データ１００に基づく表示を行い、スクロール範囲１０１を指定した状態において、図４２（ａ）に示すスクロール範囲１０１を図４２（ｂ）に示すスクロール範囲１０１ａ・１０１ｂへとそれぞれ分割するものとする。なお、この図４２は、図４１に示すスクロール範囲１０１の分割を示す図であり、同図（ａ）は、スクロール範囲１０１において分割する位置を指定している状態の一例を示し、同図（ｂ）は、指定された位置にてスクロール範囲１０１を分割した一例を示す図である。
【０００８】
すなわち、ユーザが、図４２（ａ）に示すように、スクロール範囲１０１において分割を所望する位置（Ｙａ）を指定する。このようにユーザからの指示に応じて、スクロール範囲１０１において分割位置Ｙａが決定すると、この分割位置によって図４２（ｂ）に示すようにスクロール範囲１０１が、スクロール範囲１０１ａおよびスクロール範囲１０１ｂに分割される。そして、分割されたそれぞれのスクロール範囲１０１ａ・１０１ｂにおいて表示されている文字は、上下方向にそれぞれスクロールすることができる。
【０００９】
このように表示領域を複数に分割し、それぞれの表示領域において表示されるデータをスクロールできるようにすることにより、同一表示領域ではともに表示させることができなかった電子データの情報を、それぞれ分割された表示領域にて同時に表示させることが可能となる。
【００１０】
このように表示領域を複数に分割して表示させる技術としては、例えば特許文献１が開示されている。この特許文献１では、文書表示画面を簡単、確実且つ迅速に４分割して、分割された画面の隣接する表示領域を連動制御する画像表示装置を開示している。
【特許文献１】特開平７−１１０７５３号公報（１９９５年４月２５日公開）
【発明の開示】
【発明が解決しようとする課題】
【００１１】
しかしながら、上記従来の構成では、分割された複数の表示領域それぞれで、重複した内容を表示してしまったり、表示された情報の内容が電子データにより規定される配置関係とは逆転して表示してしまったりするなどして、表示された内容に対するユーザの視認性を低下させてしまうという問題が生じる。
【００１２】
また、表示領域が分割されている場合、分割された各領域におけるスクロール操作は、例えばポインティングデバイスなどの入力手段によってそれぞれの領域を指定し、スクロール操作の実行指示を行う必要がある。
【００１３】
このため、分割された複数の表示領域の中から特定の領域を指定してスクロール操作を実行する場合、このスクロール操作を実行するための操作が煩雑となるという問題がある。
【００１４】
本発明は、上記の問題点に鑑みてなされたものであり、その目的は、複数領域それぞれにおいて表示する画像に対するユーザの視認性を低減させることなく、簡便な操作によって画像のスクロールを実現できる表示装置、表示装置の制御方法、表示装置の制御プログラム、および表示装置の制御プログラムを記録した記録媒体を提供する。
【課題を解決するための手段】
【００１５】
本発明に係る表示装置は、上記した課題を解決するために、表示領域に表示されている画像をスクロールして表示可能とする表示装置であって、上記画像をスクロールさせて表示可能とする範囲であるスクロール範囲を分割し、配置を固定させて表示させる範囲である固定範囲を設定する設定手段と、上記画像に対するスクロールを指示するスクロール指示を受け付ける受け付け手段と、上記受け付け手段が上記スクロール指示を受け付けた場合、上記スクロール範囲と上記固定範囲との位置関係を判定する判定手段と、上記判定手段による判定結果に応じて、上記スクロール範囲を変更させる変更手段とを備えることを特徴とする。
【００１６】
上記構成によると、設定手段を備えているため表示領域に表示されている画像をスクロールさせて表示可能とするスクロール範囲とは別に、配置を固定させて表示させる固定範囲を設定できる。すなわち、本発明に係る表示装置は、複数領域によって画像を表示させることができる。また、設定手段により随時参照する必要がある情報などの画像を固定範囲として設定することができる。
【００１７】
また、上記表示装置は上記判定手段を備えているため、上記スクロール範囲と上記固定範囲との位置関係を判定することができる。このため、固定範囲に表示させる画像とスクロール範囲に表示させる画像との位置関係が、例えば画像を表示するための表示データによって規定されている位置関係とは異なるなど、通常の配置とは異なる位置関係とならないようにすることができる。また、上記表示装置は、固定範囲に表示させる画像とスクロール範囲に表示させる画像とが重複しないようにすることもできる。
【００１８】
このように、異なる領域において表示される画像同士の位置関係を維持したまま、画像のスクロールを行うことができるため、表示される画像に対するユーザの視認性を向上させることができる。
【００１９】
また、上記判定手段による判定結果に応じて、変更手段がスクロール範囲を変更させることができるため、例えば、スクロール範囲に表示している画像に対するスクロール指示を行うだけで、スクロール範囲に表示している画像とともに固定範囲に表示している画像を含めてスクロールさせることができる。また例えば、固定範囲に表示している画像を含めてスクロールさせた際に、スクロールによってこの固定範囲の画像が表示領域外となる場合、該固定範囲をスクロール範囲から除いてスクロールされないようにすることもできる。
【００２０】
したがって、本発明に係る表示装置は、スクロール範囲に対するスクロール指示のみで
スクロール範囲と固定範囲との両者を適切に表示させることができる。
【００２１】
よって、本発明に係る表示装置は、複数領域それぞれにおいて表示する画像に対するユーザの視認性を低減させることなく、簡便な操作によって画像のスクロールを実現できるという効果を奏する。
【００２２】
また、本発明に係る表示装置は、上記した構成において、上記スクロール指示に応じて上記スクロール範囲上を画像が移動する方向を画像移動方向とすると、上記判定手段は、上記固定範囲の上記画像移動方向側の端部位置と上記スクロール範囲の上記画像移動方向側の端部位置とが一致するか否かを判定する端部判定手段を備え、上記端部判定手段が、上記固定範囲の上記画像移動方向側の端部位置と上記スクロール範囲の上記画像移動方向側の端部位置とが一致すると判定した場合、上記変更手段は、上記スクロール範囲を、上記固定範囲を除く範囲に変更するように構成されていることが好ましい。
【００２３】
上記構成によると、端部判定手段を備えているため、スクロール範囲における画像移動方向側の端部位置に、固定範囲における画像移動方向側の端部位置がきた場合に、該固定範囲をスクロール範囲から除くことができる。このため、例えばスクロール範囲に固定範囲を含ませたままスクロールさせ、該固定範囲に表示させた画像を表示領域外に移動させてしまうなどの状態が生じることを防ぐことができる。
【００２４】
さらにまた、スクロール範囲における画像移動方向側の端部位置に、固定範囲における画像移動方向側の端部位置がきた場合に、該固定範囲をスクロール範囲から除くことができる。このため、本発明の表示装置では、固定範囲の画像を表示領域外に移動されないようにするため、例えば該固定範囲を指定するなどの操作を行う必要がない。
【００２５】
したがって、本発明に係る表示装置は、複数領域それぞれにおいて表示する画像に対するユーザの視認性を低減させることなく、簡便な操作によって画像のスクロールを実現できる。
【００２６】
また、本発明に係る表示装置は、上記した構成において、上記判定手段は、上記固定範囲を除く範囲に変更されたスクロール範囲と該固定範囲とが、該スクロール範囲の画像移動方向側とは反対側の端部位置において隣接しているか否かを判定する隣接判定手段と、上記隣接判定手段によって上記スクロール範囲の画像移動方向側とは反対側の端部位置において上記固定範囲と隣接していると判定した場合、該隣接部においてスクロール範囲に表示されている画像と固定範囲に表示されている画像とが連続した内容となるか否かを判定する連続判定手段とを備え、上記連続判定手段が、この隣接している位置においてスクロール範囲に表示されている画像と固定範囲に表示されている画像との内容が連続した画像となると判定した場合、上記変更手段は、上記スクロール範囲を、上記固定範囲を含む範囲に変更するように構成することが好ましい。
【００２７】
上記構成によると、隣接判定手段および連続判定手段を備えているため、スクロール範囲の画像移動方向側とは反対側の端部位置に隣接する固定範囲に表示される画像の内容と、該スクロール範囲において表示される画像の内容とが連続したものとなるか否か判定することができる。
【００２８】
このため、本発明に係る表示装置では、スクロール範囲の画像移動方向側とは反対側となる端部位置において、該スクロール範囲と隣接する固定範囲に表示された内容が連続した表示内容となる場合スクロール範囲をこの固定範囲を含む範囲に変更することができる。
【００２９】
このため、スクロール範囲に表示される画像に固定範囲に表示される画像を組み込み一緒にスクロールさせて移動させることができる。
【００３０】
このため、本発明に係る表示装置は、スクロール範囲に対するスクロール指示のみで
スクロール範囲と固定範囲との両者を適切に表示させることができる。また、固定範囲に表示させる画像の表示内容と、スクロール範囲に表示させる画像の表示内容との連続性を維持したまま画像のスクロールを行うことができるため、スクロール範囲および固定範囲といった複数の表示領域において表示される画像それぞれに対するユーザの視認性を損なうことがない。
【００３１】
よって、本発明に係る表示装置は、複数領域それぞれにおいて表示する画像に対するユーザの視認性を低減させることなく、簡便な操作によって画像のスクロールを実現できるという効果を奏する。
【００３２】
また、本発明に係る表示装置は、上記した構成において、上記固定範囲の開始位置を指定する位置指定情報を受け付ける位置指定情報受け付け手段をさらに備え、上記設定手段は、上記受け付け手段によって受け付けたスクロール指示に応じて、上記位置指定情報受け付け手段によって受け付けた開始位置から、上記スクロール指示に応じて画像が移動する画像移動方向側のスクロール範囲における端部位置までの範囲を固定範囲とするように構成されていてもよい。
【００３３】
上記構成によると、ユーザは固定範囲の開始位置を指定するだけで、該固定範囲を設定するため容易に固定範囲の設定を行うことができる。
【００３４】
また、本発明に係る表示装置は、上記した構成において、上記固定範囲の開始位置および終了位置を指定する位置指定情報を受け付ける位置指定情報受け付け手段を備え、上記設定手段は、上記位置指定情報受け付け手段によって指定された開始位置と終了位置とによって規定される矩形範囲を固定範囲として設定するように構成されていてもよい。
【００３５】
上記構成によると、ユーザは固定範囲の開始位置と終了位置とを指定するだけで、該固定範囲を設定することができる。このため、ユーザからスクロール操作指示を受け付けるか否かに関わらず容易に固定範囲の設定を行うことができる。
【００３６】
また、本発明に係る表示装置は、上記した構成において、上記表示領域に表示される画像は電子データに基づき表示されるものであって、上記設定手段は、上記電子データに付加された情報に基づき、上記固定範囲を設定するように構成されていてもよい。
【００３７】
上記構成によると、電子データに付加された情報に基づき固定範囲を設定することができるため、ユーザは固定範囲の設定を行う必要がない。このため、特にユーザからの操作指示を受け付けることなくスクロール範囲を分割して固定範囲を設けることができる。
【００３８】
また、上記電子データに付加された情報は、表示領域に表示させる画像の表示状態を規定するための情報を記述したプログラムにおけるタグであってもよい。
【００３９】
また、本発明に係る表示装置は、上記した構成において、上記スクロール範囲の設定解除指示を受け付ける設定解除指示受け付け手段と、上記設定解除指示受け付け手段によって受け付けた設定解除指示に応じて、表示領域において設定されているスクロール範囲を解除するスクロール範囲解除手段とをさらに備えることが好ましい。
【００４０】
上記構成によるとスクロール範囲解除手段を備えているため、適切なタイミングでスクロール範囲の設定を解除することができる。このため、表示領域において例えば固定範囲が設定されている場合、該固定範囲を解除させ表示領域全体をスクロール範囲に変更させるなど、ユーザの所望する使用状態に応じた画像の表示を実現できる。
【００４１】
また、本発明に係る表示装置は上記した課題を解決するために、表示領域に表示されている画像をスクロールして表示可能とする表示装置の制御方法であって、上記画像をスクロールさせて表示可能とする範囲であるスクロール範囲を分割し、配置を固定させて表示させる範囲である固定範囲を設定するステップと、上記画像に対するスクロールを指示するスクロール指示を受け付けるステップと、上記スクロール指示を受け付けた場合、上記スクロール範囲と上記固定範囲との位置関係を判定するステップと、上記判定結果に応じて、上記スクロール範囲を変更させるステップとを含むことを特徴とする。
【００４２】
上記方法によると、表示領域に表示されている画像をスクロールさせて表示可能とするスクロール範囲とは別に、配置を固定させて表示させる固定範囲を設定できる。すなわち、本発明に係る表示装置の制御方法は、複数領域によって画像を表示させることができる。また、設定手段により随時参照する必要がある情報などの画像を固定範囲として設定することができる。
【００４３】
また、上記表示装置の制御方法は、上記スクロール範囲と上記固定範囲との位置関係を判定することができる。このため、固定範囲に表示させる画像とスクロール範囲に表示させる画像との位置関係が、例えば画像を表示するための表示データによって規定されている位置関係とは異なるなど、通常の配置とは異なる位置関係とならないようにすることができる。また、上記表示装置は、固定範囲に表示させる画像とスクロール範囲に表示させる画像とが重複しないようにすることもできる。
【００４４】
このように、異なる領域において表示される画像同士の位置関係を維持したまま、画像のスクロールを行うことができるため、表示される画像に対するユーザの視認性を向上させることができる。
【００４５】
また、上記判定結果に応じて、スクロール範囲を変更させることができるため、例えば、スクロール範囲に表示している画像に対するスクロール指示を行うだけで、スクロール範囲に表示している画像とともに固定範囲に表示している画像を含めてスクロールさせることができる。また例えば、固定範囲に表示している画像を含めてスクロールさせた際に、スクロールによってこの固定範囲の画像が表示領域外となる場合、該固定範囲をスクロール範囲から除いてスクロールされないようにすることもできる。
【００４６】
したがって、本発明に係る表示装置の制御方法は、スクロール範囲に対するスクロール指示のみで、スクロール範囲と固定範囲との両者を適切に表示させることができる。
【００４７】
よって、本発明に係る表示装置の制御方法は、複数領域それぞれにおいて表示する画像に対するユーザの視認性を低減させることなく、簡便な操作によって画像のスクロールを実現できるという効果を奏する。
【００４８】
なお、上記表示装置が備える各手段は、コンピュータによって実現してもよく、この場合には、コンピュータを上記各手段として動作させることにより上記情報処理装置をコンピュータにて実現させる情報処理装置の制御プログラムを記録したコンピュータ読取り可能な記録媒体も、本発明の範疇に入る。
【発明の効果】
【００４９】
本発明に係る表示装置は、以上のように、表示領域に表示されている画像をスクロールして表示可能とする表示装置であって、上記画像をスクロールさせて表示可能とする範囲であるスクロール範囲を分割し、配置を固定させて表示させる範囲である固定範囲を設定する設定手段と、上記画像に対するスクロールを指示するスクロール指示を受け付ける受け付け手段と、上記受け付け手段が上記スクロール指示を受け付けた場合、上記スクロール範囲と上記固定範囲との位置関係を判定する判定手段と、上記判定手段による判定結果に応じて、上記スクロール範囲を変更させる変更手段とを備えることを特徴とする。
【００５０】
よって、本発明に係る表示装置は、複数領域それぞれにおいて表示する画像に対するユーザの視認性を低減させることなく、簡便な操作によって画像のスクロールを実現できるという効果を奏する。
【００５１】
また、本発明に係る表示装置は、以上のように、表示領域に表示されている画像をスクロールして表示可能とする表示装置の制御方法であって、上記画像をスクロールさせて表示可能とする範囲であるスクロール範囲を分割し、配置を固定させて表示させる範囲である固定範囲を設定するステップと、上記画像に対するスクロールを指示するスクロール指示を受け付けるステップと、上記スクロール指示を受け付けた場合、上記スクロール範囲と上記固定範囲との位置関係を判定するステップと、上記判定結果に応じて、上記スクロール範囲を変更させるステップとを含むことを特徴とする。
【００５２】
よって、本発明に係る表示装置の制御方法は、複数領域それぞれにおいて表示する画像に対するユーザの視認性を低減させることなく、簡便な操作によって画像のスクロールを実現できるという効果を奏する。
【発明を実施するための最良の形態】
【００５３】
（実施形態１）
本発明の一実施形態について図１ないし図３１に基づいて説明すると以下の通りである。すなわち、本実施の形態に係る表示装置１０は、図２に示すように、電子データ１００に基づき図形および／または文字などの表示画像を表示する表示部１１と、ユーザからの指示または情報の入力を受け付ける操作部（受け付け手段・位置指定情報受け付け手段・設定解除指示受け付け手段）１４と、表示装置１０の外部に設けられている端末装置２２とのデータの入出力を行うためのインタフェース部１６とを備えている。
【００５４】
なお、この図２は、本実施の形態に係る表示装置の概略構成を示す図である。
【００５５】
また、この表示装置１０は、通信ネットワーク２０を通じて、電子データ１００を保持する端末装置２２と通信可能に接続されている。そして、表示装置１０は、自身が保持する電子データ１００または、端末装置２２から取得した電子データ１００に基づく表示を行うことができる。
【００５６】
なお、この端末装置２２は、着脱可能なＨＤＤ（Hard Disk Drive）またはＰＣ（Personal Computer）カードなどの端末記憶部２１を備え、この端末記憶部２１に電子データ１００を保持している。
【００５７】
またこの表示装置１０は、後述する記憶部１３（図２において不図示）に記憶された電子データ１００を、操作部１４として設けられた、例えば上、下、左、右キーまたは中央のキーをユーザが操作することで表示することができる構成である。また、インタフェース部１６を介して、ネットワーク２０を通じて外部の端末装置２２から電子データ１００を取得し、該電子データ１００に基づく表示を行うことができる構成でもある。
【００５８】
また、この表示装置１０では、例えば、表示された画像を、上下にスクロールしたり、左右にスクロールしたりすることができる。すなわち、本実施の形態に係る表示装置１０では、表示領域９０内において表示しきれない部分を表示させるために、表示画像を上下あるいは左右に移動させることができるように構成されている。
【００５９】
このため、例えば、表示部１１において表示している表示画像の下部が表示領域９０外となるため表示されていないとき、該表示画像を上方に移動させて見えなかった部分を見えるようにすることができる。
【００６０】
ここで、図１を参照して、本実施の形態に係る表示装置１０の要部構成について説明する。なお、この図１は、本実施の形態に係る表示装置１０の要部構成を示すブロック図である。
【００６１】
図１に示すように表示装置１０は、表示部１１、レイアウト部１２、表示制御部１３（設定手段・スクロール範囲解除手段）、操作部１４、記憶部１５、インタフェース部１６、およびスクロール範囲変更処理部３０を備えている。
【００６２】
上記記憶部１５は、記憶装置であり、例えばＤＲＡＭ（Dynamic Random Access Memory）やフラッシュメモリなどのメモリデバイスで構成される。この記憶部１５には、本実施の形態に係る表示装置１０において表示させるための電子データ１００が格納される。なお、この電子データ１００は、文字コードおよび／または画像データなどを含む。
【００６３】
また、この記憶部１５には、初期値スクロール範囲情報１８も記憶している。この初期値スクロール範囲情報１８とは、表示部１１における表示領域９０にまだ画像など表示されていない初期状態におけるスクロール範囲１０１を示す情報である。
【００６４】
すなわち、本実施形態では、表示部１１の表示領域９０に対して座標を設定しており、この設定した座標の値によってこのスクロール範囲１０１を規定することができるようになっている。なお、このスクロール範囲１０１とは、表示領域９０において、表示画像をスクロールさせて移動可能とさせる範囲であり、電子データ１００に基づき表示された表示画像のレイアウトが、ユーザの操作によって、再描画され変更される。
【００６５】
なお、このレイアウトとは、表示領域９０において電子データ１００に基づき表示される表示画像の表示配置である。
【００６６】
上記表示部１１は、図示しないグラフィックカード上にＶＲＡＭ（Video Random Access Memory）を有している。したがって、表示部１１は、入力されるデータを一旦ＶＲＡＭに格納し、表示用信号に変換させて画像として表示領域９０に表示する。なお、本実施形態ではこの表示部１１は液晶表示パネルであるが、これに限定されるものではなく例えば、プラズマディスプレイ、有機あるいは無機ＥＬ（Electro Luminescence）パネル、ＣＲＴディスプレイ等であってもよい。
【００６７】
レイアウト部１２は、記憶部１５やネットワーク２０の記憶装置２１の電子データ１００から表示部１１において表示可能とするためのレイアウトデータを生成するものである。
【００６８】
表示制御部１３は、表示装置１０が備える各部に対する全体的な制御を行うものである。例えば、表示制御部１３は、電子データ１００の表示を行うために、記憶部１５から該電子データ１００を取得したり、あるいは後述するインタフェース部１６に指示して端末装置２２から該端末装置２２が保持する電子データ１００を取得したりする。そして、表示制御部１３は、取得した電子データ１００をＶＲＡＭに格納させ、この格納した電子データ１００のうち適切な範囲のデータを表示用データに変換させ表示部１１において表示させるように指示する。
【００６９】
なお、この表示制御部１３は、格納する電子データ１００と、電子データ１００を格納するＶＲＡＭ上のアドレスと、表示領域９０において設定した座標とが対応付けられたテーブル（不図示）を保持している。そして、表示制御部１３は、このテーブルを参照して適切な表示位置に、電子データ１００の所望する部分の表示を行うように制御することができる。
【００７０】
また、本実施の形態に係る表示装置１０は、表示領域に表示させた画像をスクロールさせることができるようになっているが、この画像のスクロールは例えば下記のようにして実現できる。
【００７１】
すなわち、上述したように表示制御部１３が上記テーブルを保持している。このため、表示制御部１３は、ＶＲＡＭ上における電子データ１００の格納領域を変更させることにより該電子データ１００に基づく画像の表示領域における表示位置を変更させ、画像のスクロールを実現させることができる。
【００７２】
あるいは、表示領域９０上の座標とＶＲＡＭのメモリ領域上のアドレスとの対応関係を書き換えるハードウェア（不図示）をさらに備え、このハードウェアによってＶＲＡＭに格納されている電子データ１００の表示領域９０上の座標とメモリ領域上のアドレスとの対応関係を変更させることにより画像のスクロールを実現する構成であってもよい。
【００７３】
上記のようにスクロールさせて表示画像の表示位置を変更させるたびに表示させる画像の電子データ１００のメモリ領域上における格納位置を変更させる場合、ＶＲＡＭのメモリ領域に電子データ１００を格納しなおす必要があるため時間がかかる。
【００７４】
一方、ＶＲＡＭ上のメモリ領域におけるアドレスと、表示領域９０上の座標との対応関係をハードウェアによって変更させる場合、上記ＶＲＡＭにおける電子データ１００の格納位置を変更させる構成よりもスクロール後の画像を迅速に表示させることができる。
【００７５】
ただし、ＶＲＡＭ上のメモリ領域におけるアドレスと、表示領域９０上の座標との対応関係をハードウェアによって変更させる場合、この変更は対応付けを変更させるために設けられた回路の数だけに限定されてしまう。
【００７６】
上記操作部１４は、ユーザからの指示および／または情報を受け付けるための入力手段であり、例えば、キーボード、マウス、タブレット（入力パネル）、入力ペン、キー（ボタン）、またはマイクなど、様々な入力手段によって実現することができる。
【００７７】
インタフェース部１６は、本実施の形態に係る表示装置１０の外部とのインタフェースを提供するものであり、外部との電子データ１００の送受信を行うための入出力手段として機能する。本実施形態に係るインタフェース部１６は、ネットワークカードなどにより実現することができ、ネットワーク２０に接続されている。なお、このネットワーク２０との接続は、有線であってもよいし、無線であってもよい。
【００７８】
上記スクロール範囲変更処理部３０は、表示部１１の表示領域９０におけるスクロール範囲１０１の変更を表示制御部１３に対して指示するものである。このスクロール範囲変更処理部３０は、機能ブロックとして分割固定範囲位置判定部（判定手段・端部判定手段・隣接判定手段）３１、データ連続性判定部（判定手段・連続判定手段）３２、およびスクロール範囲変更指示部（変更手段）３３を備えている。
【００７９】
上記分割固定範囲位置判定部３１は、表示部１１の表示領域９０において分割固定範囲２０１の表示位置がどこに位置するのかを判定するものである。より具体的には、スクロール範囲１０１と分割固定範囲２０１との位置関係を監視し、移動方向における両者の端部が一致するか否かを判定する。
【００８０】
なお、この分割固定範囲２０１とは、表示画像の配置関係を固定して表示させる範囲であり、この分割固定範囲２０１において表示される表示画像では、該表示画像の配置関係（レイアウト）を変更させることができない。
【００８１】
データ連続性判定部３２は、分割固定範囲２０１において表示されている表示画像とスクロール範囲１０１とにおいて表示されている表示画像との間において表示内容に連続性があるか否かを判定するものである。
【００８２】
スクロール範囲変更指示部３３は、上記分割固定範囲位置判定部３１またはデータ連続性半判定部１４における判定結果に応じて、スクロール範囲１０１を決定し、該スクロール範囲１０１の変更を表示制御部１３に指示するものである。
【００８３】
また、本実施の形態に係る表示装置１０が備える各部間でのデータ送受信は、例えば、図示しないＣＰＵ（Central Processing Unit）に接続されたバスを用いて行われているが、これに限定されるものではなく、データを授受できるならば、通信ケーブルや無線通信装置などを介する構成であってもよい。
【００８４】
また、本実施形態に係る表示装置１０では、特に上記表示制御部１３、レイアウト部１２、およびスクロール範囲変更処理部３０は、ＲＯＭ（read only memory）などに記憶されている図示しないプログラムを、図示しないＣＰＵがＲＡＭなどに読み出し実行することによって実現することができる。なお、実現手段としては、プログラムとＣＰＵとを用いる構成に限定されるものではなく、例えば、ＤＳＰ（Digital Signal Processor）、または、処理手段が回路として組み込まれているロジック回路などを用いる構成であってもよい。また、プログラムは、記憶部１３ではなく、外部の記憶装置２１に記憶されていてもよい。
【００８５】
すなわち、表示装置１０の各ブロック、特に表示制御部１３、レイアウト部１５、およびスクロール領域変更処理部３０は、ハードウェアロジックによって構成してもよいし、次のようにＣＰＵを用いてソフトウェアによって実現してもよい。
【００８６】
すなわち、表示装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである表示装置１０の制御プログラムのプログラムコード（実行形式プログラム、中間コードプログラム、ソースプログラム）をコンピュータで読み取り可能に記録した記録媒体を、上記表示装置１０に供給し、そのコンピュータ（またはＣＰＵやＭＰＵ）が記録媒体に記録されているプログラムコードを読み出し実行することによっても、達成可能である。
【００８７】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８８】
また、表示装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８９】
ここで、上記した構成を有する本実施の形態に係る表示装置の表示処理について（図３）を参照して説明する。なお、この図３は、本実施の形態に係る表示装置１０の表示処理を示すフローチャートである。
【００９０】
まず、表示装置１０では、電子データ１００の読み込みを行う（ステップＳ１０、以下Ｓ１０というように称する）。すなわち表示装置１０では、表示制御部１３が、記憶部１５、または外部の端末装置２２が保持する電子データ１００を読み出すように制御し、読み出した電子データ１００を不図示のＶＲＡＭに一時記憶させる。
【００９１】
電子データ１００が読み出されると、表示装置１０は読み出した電子データ１００に基づき表示部１１に表示させるレイアウトデータを作成し、このレイアウトデータに基づく表示を行う、レイアウト作成・表示処理を行う（Ｓ２０）。すなわち、電子データ１００が読み出されると、表示制御部１３からの指示に応じて、ＶＲＡＭに一時記憶されている電子データ１００に基づき、レイアウト部１２が表示用のレイアウトデータを生成する。そして、作成されたレイアウトデータを表示制御部１３が表示部１１に指示して表示させる。なお、このレイアウト作成・表示処理についての詳細な説明は後述する。
【００９２】
このようにレイアウト作成・表示処理によって、表示部１１に電子データ１００を表示すると、ステップＳ３０へと処理が進む。
【００９３】
ここでは、操作部１４が、ユーザの分割固定範囲２０１を指定する指示を受け付けると、この指示を表示制御部１３に通知する。表示制御部１３は、操作部１４によって受け付けたユーザからの指示に基づき分割固定範囲２０１を決定する分割固定範囲指定処理を行う。なお、この分割固定範囲２０１は、スクロール範囲１０１においてユーザによって任意に指定することができるようになっている。そして、指定された範囲において表示される表示画像の配置位置（レイアウト）は固定される。なお、この分割固定範囲指定処理についての詳細は後述する。
【００９４】
上記分割固定範囲指定処理によって分割固定範囲２０１を決定すると、次に、操作部１４がユーザからのスクロール操作の実行指示を受け付ける。このユーザからのスクロール操作の実行指示に基づき表示制御部１３が、スクロール範囲１０１に表示される表示画像をスクロールできるように、レイアウト部１２および表示部１１に指示を出す。
【００９５】
一方、レイアウト部１２および表示部１１は、表示制御部１３からの指示に応じて、ユーザからのスクロール操作指示を反映した表示を行うための分割スクロール処理を行う。なお、この分割スクロール処理についての詳細は後述する。
【００９６】
このように、この分割スクロール処理によって、上記スクロール範囲１０１に表示される表示画像をスクロールさせる。ここで、操作部１４が、ユーザから分割固定範囲２０１を解除する旨の指示を受け付けた場合、表示制御部１３は表示部１１およびレイアウト部１２に下記の指示を行う。
【００９７】
すなわち、表示制御部１３が、ユーザの指定した上記分割固定範囲２０１を解除するように表示部１１およびレイアウト部１２に指示する。この表示制御部１３からの指示に応じて、表示部１１およびレイアウト部１２が、再びレイアウト作成・表示処理を実行し、分割固定範囲解除処理を行う。なお、この分割固定範囲解除処理についての詳細な説明は後述する。
【００９８】
また、上記した分割固定範囲解除処理によって、表示領域９０上における分割固定範囲２０１を解除させた状態において、操作部１４が、ユーザからの表示処理を終了する旨の指示を受け付けるとこの指示を表示制御部１３に通知する。表示制御部１３は、操作部１４が受け付けたユーザからの指示に応じて、表示処理を終了するように表示部１１およびレイアウト部１２を制御する。
【００９９】
一方、終了を指示する旨の通知を操作部１４が受け付けていない間は、再び、ステップＳ３０に処理が戻り、分割固定範囲指定処理、分割スクロール処理、分割固定範囲解除処理のいずれかが繰り返される。
【０１００】
以上、表示装置１０における表示処理について説明した。以下では、電子データ１００の一例を用いて、表示処理の各処理（分割固定範囲指定処理、分割スクロール処理、分割固定範囲解除処理）それぞれについて詳細に説明する。
【０１０１】
まず、前提として、本実施の形態に係る表示装置１０では、図４０に示す電子データ１００に基づき表示を行うものとして説明する。なお、この電子データ１００は、上記したように、文字を示す文字コード、および改行などを示す制御コードなどで構成されている。そして、この電子データ１００に基づき該電子データ１００をすべて表示したと仮定した場合、１行目が「００００−ＡＢＣＤＥ」の文字列で構成され、改行コードで改行された２行目は「０００１−ＦＧＨＩＪ」の文字列で構成される。そして、順に３行目以降も同様な構成となっている。
【０１０２】
そして、この図４０に示す電子データ１００を表示装置１０の表示部１１における表示領域９０に表示させると図４１に示すようになる。なお、本実施例では初期状態では、この表示領域９０において表示画像をスクロールさせることができるスクロール範囲１０１は、この表示領域９０と略一致する範囲となっている。
【０１０３】
（レイアウト作成・表示処理）
ここで図４を参照して、本実施の形態に係る表示装置１０におけるレイアウト作成・表示処理について説明する。なお。この図４は、本実施の形態に係る表示装置１０におけるレイアウト作成・表示処理を示すフローチャートである。
【０１０４】
まず、表示装置１０において電子データ１００を読み出すと、表示制御部１３が表示部１１の表示領域９０におけるスクロール範囲１０１の情報を取得する（Ｓ２１）。上記したようにこのスクロール範囲１０１は、電子データ１００の表示が行われていない初期状態では、表示領域９０と略一致する。
【０１０５】
なお、このスクロール範囲１０１の情報の取得は、以下のようにして実行できる。すなわち、表示制御部１３が、電子データ１００の読み出しを完了すると、記憶部１５に記憶されている初期値スクロール範囲情報１８を取得する。この初期値スクロール範囲情報１８は、上述したように表示部１１における表示領域９０に設定した座標の値で表現されている。
【０１０６】
そして、表示制御部１３は、取得した初期値スクロール範囲情報１８をレイアウト部１２に送信するとともに、該スクロール範囲１０１内に表示させるための表示用データを生成するように指示する。
【０１０７】
このようにレイアウト部１２が、表示制御部１３から電子データ１００および初期値スクロール範囲情報１８を取得すると、スクロール範囲１０１に表示させる表示用データとしてレイアウトデータを生成する（Ｓ２２）。すなわち、ここでは図４０に示す電子データ１００に含まれる文字コードおよび改行コードに基づきレイアウトデータを生成する。
【０１０８】
レイアウト部１２がレイアウトデータを生成すると、この作成したレイアウトデータを表示制御部１３が取得する。そして、表示制御部１３は、表示部１１に対して、このレイアウトデータを送信するとともに該レイアウトデータを表示させるように指示する。この表示制御部１３からの指示に応じて表示部１１は、レイアウトデータに基づく表示を行う（Ｓ２３）。
【０１０９】
以上、レイアウト作成・表示処理について説明した。続いて図５および図６を参照して上記した分割固定範囲指定処理の詳細について説明する。
【０１１０】
（分割固定範囲指定処理）
図５は、本実施の形態に係るスクロール範囲１０１において分割固定範囲を指定する一例を示す図である。この図５では、電子データ１００に基づく表示の一状態を表している。そして、この図５に示す表示領域９０において太線の矩形で表される範囲は、スクロール範囲１０１を示している。なお、このスクロール範囲１０１は、説明の便宜上、表示領域９０において矩形の太線によって示しているが、スクロール範囲１０１をこのような矩形画像によって必ずしも視覚的に示す必要はない。また、スクロール範囲１０１の形状はこのような矩形に限定されるものではない。
【０１１１】
図６は、本実施の形態に係る表示装置１０における分割固定範囲指定処理を説明するフローチャートである。
【０１１２】
まず、ステップＳ２０におけるレイアウト作成・表示処理が終了し、レイアウトデータに基づく表示を行っている状態において、操作部１４が分割固定範囲指定指示を示す旨の情報を受け付けた場合（Ｓ３１において「ＹＥＳ」）、該操作部１４は受け付けた情報を表示制御部１３に通知する。表示制御部１３は、この情報を受信すると、操作部１４に指示して分割固定範囲２０１の開始位置の入力を受け付ける、待ち受け状態とさせる。そして、操作部１４は、分割固定範囲２０１の開始位置の入力をユーザから受け付ける（Ｓ３２）。
【０１１３】
一方、分割固定範囲指定指示を受け付けていない場合（Ｓ３１において「ＮＯ」、分割固定範囲指定処理を実行しない（リターン）。
【０１１４】
なお、上記した分割固定範囲指定指示は、例えば、ユーザが、以下の操作を行った結果として操作部１４が受け付けることができる。
【０１１５】
すなわち、ユーザが、操作部１４として実現できる操作キーを押下するとメニューが表示され、メニューから「分割固定範囲指定」という項目を選択する。もしくは、ユーザが、分割固定範囲指定指示が割り当てられた任意のキーを押下するなどの操作を行う。そして、このようなユーザによる操作の結果、操作部１４は、分割固定範囲指定指示を受け付けることができる。
【０１１６】
また、上記した分割固定範囲２０１の開始位置指定の入力は、ユーザが操作部１４を操作して任意の座標、もしくは、縦、横、斜めの直線で矩形範囲の一辺を指定する。なお本実施の形態では、図５に示すようにスクロール範囲１０１における、表示画像のスクロール方向に対して、垂直となる直線（Ｙｂ１）により上記開始位置を指定している。
【０１１７】
ステップＳ３２において、ユーザからの分割固定範囲２０１の開始位置を指定する情報の入力を受け付けると、この受け付けた情報を表示制御部１３に送信する。表示制御部１３は、この情報を受信すると、操作部１４に指示して分割固定範囲２０１の終了位置の入力を受け付ける、待ち受け状態とさせる。そして、操作部１４は、分割固定範囲２０１の終了位置の入力をユーザから受け付ける（Ｓ３３）。
【０１１８】
この分割固定範囲２０１の終了位置指定の入力は、分割固定範囲２０１の開始位置の指定と同様の操作をユーザが行うことで実現できる。なお本実施の形態では、図５に示すようにスクロール範囲１０１において表示画像をスクロール可能とする方向に対して、垂直となる直線（Ｙｂ２）により上記終了位置を指定している。
【０１１９】
以上のようにステップＳ３２およびステップＳ３３によって、分割固定範囲２０１の開始位置および終了位置を示す情報が入力されると、表示制御部１３は、操作部１４に対して、ユーザからの分割固定範囲２０１の決定指示の入力を待ち受けるように指示する。このように表示制御部１３からの指示に応じて、操作部１４がユーザからの上記決定指示の入力を待ち受けている状態において、ユーザから上記決定指示の入力がなされると、この入力された情報は、操作部１４を介して表示制御部１３に送信される。
【０１２０】
表示制御部１３は、操作部１４から上記決定指示の入力を受信すると、ステップＳ３２およびステップＳ３３によって指定した範囲を分割固定範囲２０１として決定し、「分割固定範囲指定処理」を終了する（リターン）。
【０１２１】
なお、本実施形態では、例えば、図５の分割固定範囲２０１の開始位置Ｙｂ１と終了位置Ｙｂ２によって囲まれる斜線の範囲を分割固定範囲２０１として決定する。開始位置Ｙｂ１と終了位置Ｙｂ２の位置の指定は逆でもよい。また、スクロール範囲１０１上における分割固定範囲２０１の形状は、矩形範囲に限らず多角形や円形など任意の範囲でもよい。
【０１２２】
一方、上記ステップＳ３４において分割固定範囲２０１の決定指示の入力を受け付けていない間では（Ｓ３４において「ＮＯ」）、ステップＳ３２に戻り再度、ステップＳ３２で分割固定範囲２０１の開始位置を指定の入力を受け付け、Ｓ３３で分割固定範囲２０１の終了位置の指定を受け付ける。
【０１２３】
なお、ステップＳ３４において分割固定範囲２０１の終了位置を示す情報を受け付けてから所定期間内に上記決定指示を操作部１４が受け付けない場合、上記ステップＳ３２に戻るように構成されていてもよい。あるいは、既に入力した分割固定範囲指定を取り消し変更する旨の指示を示す情報を受け付けることによりステップＳ３２に戻るように構成されていてもよい。
【０１２４】
以上、分割固定範囲指定処理の詳細について説明した。続いて以下において分割スクロール処理の詳細について図７〜図１５を参照して説明する。
【０１２５】
（分割スクロール処理）
図７は、本実施の形態に係る表示装置における分割スクロール処理を示すフローチャートである。また、図８は、本実施の形態に係る表示装置１０のスクロール範囲１０１において表示された表示画像を、ユーザからの下方向への操作指示に応じてスクロールした場合の表示状態を示す図であり、同図（ａ）〜（ｃ）はそれぞれ、表示領域９０における表示状態の一例を示している。
【０１２６】
ここで、ステップＳ３０における分割固定範囲指定処理により分割固定範囲２０１の指定がなされ、表示部１１における表示状態が例えば図８（ａ）に示すようになるものとする。
【０１２７】
なお、この図８（ａ）〜（ｃ）において記載されている矢印は、ユーザからのスクロール操作指示方向を示しており、図８ではユーザによって下方向へスクロール操作指示が指示される事を示している。この下方向へのスクロール操作指示は、ユーザが下キーを押下することで実現できる。
【０１２８】
また、本実施例では、ユーザによる１回の下キーの押下に対して、スクロール範囲１０１において上記スクロール操作指示方向とは逆向きとなる画像移動方向（スクロール範囲における上方向）に表示画像が１行分移動するものとする。
【０１２９】
なお、この画像移動方向とは、電子データ１００のレイアウトを再描画した際に、電子データ１００が移動しているように見える方向を表す。画像移動方向は、ユーザが操作したスクロール操作指示方向と逆の方向を指すことになる。また、上記ユーザによるスクロール操作は、例えば、ユーザが操作部１４の上下左右のキーを押下するなどして操作情報を入力することができる。
【０１３０】
このように図８（ａ）に示す表示状態において、ユーザから、スクロール範囲１０１における表示画像に対する下方向へのスクロール操作指示を操作部１４が受け付け（Ｓ４１において「ＹＥＳ」）、表示状態が図８（ａ）から図８（ｂ）へと変更されたとする。すなわち、分割固定範囲２０１を含むスクロール範囲１０１の表示画像が表示領域９０における上方向（画像移動方向）に移動するように表示状態が変更されるものとする。
【０１３１】
さらにユーザが操作部１４を操作して下方向のスクロールを継続すると、図８（ｃ）に示すように、スクロール範囲１０１の画像移動方向側の端部と、分割固定範囲２０１の画像移動方向側の端部とが一致するような表示となる。
【０１３２】
図８（ｃ）に示すような表示状態になると、本実施の形態に係る情報処理装置１０では、表示制御部１３が、スクロール範囲変更処理部３０と協働してスクロール範囲１０１の縮小を行うスクロール範囲縮小処理を行う（Ｓ４２）。なお、このスクロール範囲縮小処理の詳細については後述する。
【０１３３】
一方、ステップＳ４１においてスクロール操作を示す情報を操作部１４が受け付けていない場合、分割スクロール処理を終了する（リターン）。
【０１３４】
スクロール範囲縮小処理による判定が完了し、さらにユーザからのスクロール操作の指示を操作部１４が受け付け、表示状態が図９（ａ）に示すようになったとする。なお、図９は、本実施の形態に係る表示装置１０のスクロール範囲１０１における表示画像をユーザからの上方向への操作指示に応じてスクロールした場合の表示状態を示す図であり、同図（ａ）および（ｂ）はそれぞれ、表示領域９０における表示状態の一例を示している。
【０１３５】
表示部１１の表示領域９０における表示状態が図９（ａ）に示すような状態から、今度はユーザからの上方向へのスクロール操作指示を受け付けて、縮小されたスクロール範囲１０１における表示画像が図８（ａ）〜図８（ｃ）とは逆の方向に移動するものとする。そして、例えば図９（ｂ）のような表示状態となるとする。
【０１３６】
すなわち、表示状態が図９（ｂ）に示すように、分割固定範囲２０１において表示されている表示画像と、スクロール範囲１０１において表示されている表示画像とが連続するようになる。
【０１３７】
このように、分割固定範囲２０１において表示されている表示画像とスクロール範囲１０１において表示されている表示画像とが連続する内容となる場合、表示制御部１３が、スクロール範囲変更処理部３０と協働してスクロール範囲１０１を拡大させるスクロール範囲拡大処理を行う（Ｓ４３）。なお、このスクロール範囲拡大処理についての詳細は後述する。スクロール範囲拡大処理の判定が完了するとステップＳ４４へ処理が進む。
【０１３８】
ステップＳ４４では、レイアウト部１２によって作成されたレイアウトデータに基づき、表示制御部１３からの指示に応じて、表示部１１がレイアウト作成・表示処理を行う。ここでの処理は、図３のステップＳ２０において示したレイアウト作成・表示処理と同様であるため説明は省略する。なお、このステップＳ４４におけるレイアウト作成・表示処理は、スクロール操作に応じて拡大・縮小したスクロール範囲１０１内の画像および／または文字の表示について行う。
【０１３９】
以上、分割スクロール処理の概略について説明したが、この分割スクロール処理における各処理ステップ、すなわちスクロール縮小処理、スクロール拡大処理についての更なる詳細な説明について図１０〜図１５を参照して下記において行う。
【０１４０】
（スクロール範囲縮小処理）
まず、図１０に示すように、スクロール範囲１０１内において分割固定範囲２０１が存在するか否かについて確認する（Ｓ４０１）。すなわち、操作部１４がスクロール範囲１０１における表示画像のスクロールを指示する情報を受け付けた場合（Ｓ４１において「ＹＥＳ」）、この指示を表示制御部１３に送信する。そして、表示制御部１３は、この指示を受信すると、表示部１１に問い合わせて、スクロール範囲１０１において分割固定範囲２０１の指定がなされているか否かについて判定する。
【０１４１】
なお、図１０は、本実施形態に係る表示装置におけるスクロール縮小処理を示すフローチャートである。
【０１４２】
ここで、図３に示すステップＳ３０において分割固定範囲２０１の指定が行われている場合（Ｓ４０１において「ＹＥＳ」）、次のステップＳ４０２に進む。
【０１４３】
一方、ここでスクロール範囲１０１内に分割固定範囲２０１が存在しない場合（Ｓ４０１において「ＮＯ」）、スクロール範囲縮小処理を終了する（リターン）。
【０１４４】
ステップＳ４０２では、ユーザによる表示画像のスクロール操作指示に応じて、スクロール範囲変更処理部３０がスクロール範囲１０１の端部位置と、Ｓ４０１で判定した分割固定範囲２０１の端部位置とが一致するか否かについて判定する。
【０１４５】
すなわち、スクロール範囲１０１内に分割固定範囲２０１を指定し、電子データ１００に基づく表示をおこなった際、例えば図８（ａ）に示すように文字画像が表示されたとする。この状態でユーザが操作部１４を操作して、表示領域９０の下端部において表示しきれていない文字画像を表示させるように、下方向へのスクロール操作指示を行ったとする。
【０１４６】
このように下方向へのスクロール操作指示を行うことにより図８（ｂ）に示すように、図８（ａ）では表示することができなかった「００１９−ＵＶＷＸＹＺ」を表示させることができる。また、このスクロール操作に応じて、表示画像および／または文字の表示位置が変更されることに伴い、分割固定範囲２０１もその表示位置が変更される。
【０１４７】
さらにユーザが操作部１４を操作して下方向のスクロール操作指示を継続すると、図８（ｃ）に示すように、スクロール範囲１０１の画像移動方向側の端部と、分割固定範囲２０１の画像移動方向側の端部とが一致するような表示となる。
【０１４８】
本実施の形態に係る表示装置１０では、操作部１４によって受け付けられた、ユーザからのスクロール操作指示の情報を表示制御部１３が受信すると、この表示制御部１３は、分割固定範囲位置判定部３１に指示して、分割固定範囲２０１とスクロール範囲１０１との表示領域９０における位置関係を監視させる。
【０１４９】
この表示制御部１３からの指示に応じて、分割固定範囲位置判定部３１は、画像移動方向側における分割固定範囲２０１とスクロール範囲１０１との端部が一致するか否かについて監視する。      
【０１５０】
そして、画像移動方向側において、スクロール範囲１０１と分割固定範囲２０１との端部同士の表示位置が一致すると分割固定範囲位置判定部３１が判定した場合、ステップＳ４０３へ処理が進む。
【０１５１】
一方、表示領域９０において画像移動方向側のスクロール範囲１０１の端部と、分割固定範囲２０１の端部とが一致していない場合（Ｓ４０１において「ＮＯ」）、スクロール範囲縮小処理を行わない（リターン）。
【０１５２】
上記ステップＳ４０２において、画像移動方向側において、スクロール範囲１０１と分割固定範囲２０１との端部同士の表示位置が一致すると判定した場合、分割固定範囲位置判定部３１がこの判定結果をスクロール範囲変更指示部３３に通知する。スクロール範囲変更指示部３３は、分割固定範囲位置判定部３１からこの通知を受信すると、表示制御部１３に対して、スクロール範囲１０１を、分割固定範囲２０１を除く範囲となるように変更させるように指示する。
【０１５３】
上記スクロール範囲変更指示部３３からの指示を受信すると、表示制御部１３は、表示領域９０においてスクロール範囲１０１を、分割固定範囲２０１を除く範囲となるように変更させる（Ｓ４０３）。より具体的には、ユーザによるスクロール操作指示に応じて図８（ｃ）に示す表示状態となった場合、図１１（ａ）に示すように、分割固定範囲２０１を除く範囲にスクロール範囲１０１を変更させる。このようにして、本実施の形態に係る表示装置１０において、スクロール範囲１０１内に指定されていた分割固定範囲２０１を除く範囲にスクロール範囲１０１を縮小させて、スクロール範囲縮小処理を終了する（リターン）。
【０１５４】
なお、図１１は、本実施の形態に係る表示装置１０の表示領域９０における表示画像を下方向にスクロールした場合の表示状態を示す図であり、同図（ａ）および（ｂ）はそれぞれ、表示領域９０における表示状態の一例を示している。
【０１５５】
以上のようにして、本実施の形態に係る表示装置１０では、スクロール範囲縮小処理を行う。このようにスクロール範囲縮小処理を実行した後、縮小されたスクロール範囲１０１において表示される表示画像に対するスクロールを実行し、図１１（ｂ）に示すようにスクロール範囲１０１に表示される表示画像が１行分だけ画像移動方向（上方向）に移動する。
【０１５６】
以下において、本実施形態に係る表示装置１０におけるスクロール範囲拡大処理の詳細について図１２を参照して説明する。なお、この図１２は、本実施形態に係る表示装置１０におけるスクロール範囲拡大処理を示すフローチャートである。
【０１５７】
（スクロール範囲拡大処理）
上記したようにスクロール範囲縮小処理の判定を実行した後、本実施の形態に係る表示装置１０ではスクロール範囲拡大処理の判定を行うように構成されている。
【０１５８】
すなわち、スクロール範囲拡大処理では、まず、表示制御部１３は、表示部１１に問い合わせて、スクロール範囲１０１外に分割固定範囲２０１が存在するか否かについて確認する。
【０１５９】
ここで、ステップＳ４２において既にスクロール範囲縮小処理によりスクロール範囲が初期状態よりも縮小されている場合、例えば図９（ａ）に示すように、スクロール範囲１０１外に分割固定範囲２０１が存在することとなる（Ｓ５１１において「ＹＥＳ」）。このため、ステップＳ５１１では、表示制御部１３が、スクロール範囲１０１外に分割固定範囲２０１が存在すると判定し、ステップＳ５１２へ処理が進む。一方、スクロール範囲１０１外に分割固定範囲２０１が存在しない場合（Ｓ５１１において「ＮＯ」）、スクロール範囲拡大処理を終了する（リターン）。
【０１６０】
次に、ステップＳ５１３では、表示制御部１３が、表示領域９０においてスクロール範囲１０１外に分割固定範囲２０１が存在すると判定した場合、分割固定位置範囲判定部３１に対して、スクロール範囲１０１と分割固定範囲２０１との位置関係を確認するように指示する。すなわち、表示制御部１３が、スクロール範囲１０１のスクロール操作指示方向側の端部において、分割固定範囲２０１と隣接するか否かを判定するように分割固定範囲位置判定部３１に対して指示する。この指示に応じて、分割固定範囲位置判定部３１が、スクロール範囲１０１のスクロール操作指示方向側の端部において、分割固定範囲２０１と隣接するか否か判定する（Ｓ５１２）。
【０１６１】
ここで、分割固定範囲位置判定部３１が、例えば図９（ａ）に示すように、スクロール範囲１０１のスクロール操作指示方向側の端部において、分割固定範囲２０１と隣接すると判定した場合（Ｓ５１２において「ＹＥＳ」）、ステップＳ５１３へ処理が進む。
【０１６２】
一方、分割固定範囲位置判定部３１が、スクロール範囲１０１のスクロール操作指示方向側の端部において、分割固定範囲２０１と隣接しないと判定した場合（Ｓ５１２において「ＮＯ」）、スクロール範囲拡大処理を終了する（リターン）。
【０１６３】
ステップＳ５１３では、分割固定範囲位置判定部３１が上記判定内容を示す情報をデータ連続性判定部３２に通知する。データ連続性判定部３２は、分割固定範囲位置判定部３１からの通知に応じて、表示領域９０において、分割固定範囲２０１に表示されている表示画像と、スクロール範囲１０１に表示されている表示画像との内容が連続するものであるか否かについて判定する。
【０１６４】
なお、表示制御部１３は上記したように、格納する電子データ１００と、電子データ１００を格納するＶＲＡＭ上のアドレスと、表示領域９０における画面上の座標位置との対応関係を把握している。このため、データ連続性判定部３２が、表示制御部１３に対して、分割固定範囲２０１に表示されている表示画像と、スクロール範囲１０１に表示されている表示画像とが連続する表示内容となるか否かについて問い合わせることができる。
【０１６５】
そして、このデータ連続性判定部３２からの問い合わせに対して、表示制御部１３から得られた、現在の分割固定範囲２０１における表示状態と、スクロール範囲１０１における表示状態とを比較する。この比較の結果、データ連続性判定部３２が、分割固定範囲２０１に表示されている表示画像と、スクロール範囲１０１に表示されている表示画像との表示内容が連続するか否かを判定する。
【０１６６】
例えば、ユーザのスクロール操作指示に応じて、表示部１１における表示領域９０の表示状態が、スクロール範囲１０１に表示される表示画像と分割固定範囲２０１に表示される表示画像との表示内容が図９（ｂ）に示すように連続するものとなる場合（Ｓ５１３において「ＹＥＳ」）、データ連続性判定部３２は、この判定結果をスクロール範囲変更指示部３３に通知する。
【０１６７】
そして、スクロール範囲変更指示部３３は、データ連続性判定部３２からの通知に基づき、スクロール範囲１０１を分割固定範囲２０１も含む範囲に拡大するように変更させる（Ｓ５１４）。
【０１６８】
一方、データ連続性判定部３２が、スクロール範囲１０１に表示される表示画像と、分割固定範囲２０１に表示される表示画像とが連続する表示内容とならないと判定した場合（Ｓ５１４において「ＮＯ」）、スクロール範囲拡大処理を終了する（リターン）。
【０１６９】
上記した「スクロール範囲縮小処理」および「スクロール範囲拡大処理」について、より明確に説明するために下記において図５、図８、図９、図１０、図１１、図１２、図１３、図１４、および図１５を参照してより具体的に説明する。
【０１７０】
まず、スクロール範囲１０１で分割固定範囲２０１を指定した表示状態（図５）において、ユーザからの下方へのスクロール操作指示を受け、表示画像を画像移動方向（上方向）に１行分移動させるとする（図８（ａ））。このような前提の下、まずスクロール範囲縮小処理の判定を実行する。
【０１７１】
すなわち、図１０に示すステップＳ４０１の判定では、図８（ａ）に示す表示状態を参照すると、スクロール範囲１０１に分割固定範囲２０１が存在しているため「ＹＥＳ」となる。
【０１７２】
続くステップＳ４０２の判定では、図８（ａ）に示すように、画像移動方向におけるスクロール範囲１０１の端部位置が、分割固定範囲２０１の端部位置と一致していないため「ＮＯ」となる。よって、スクロール範囲１０１の縮小処理は実行されず終了する。
【０１７３】
続いて、上記した前提の下、スクロール範囲拡大処理の判定を行うと下記のようになる。すなわち、ステップＳ５１１の判定では、スクロール範囲１０１の外部に分割固定範囲２０１は存在しないため「ＮＯ」となる。よって、スクロール範囲１０１の拡大はなく、スクロール範囲拡大処理は終了する。
【０１７４】
したがって、スクロール範囲１０１に変更はなく、スクロール範囲１０１における表示状態は図８（ａ）に示す状態のままである。また、このスクロール範囲１０１における表示画像は、ユーザからの下方へのスクロール操作指示に応じて図８（ａ）に示す表示状態から図８（ｂ）に示す表示状態となり、表示画像が上方向に１行分移動した状態の表示となる。
【０１７５】
ここで、ユーザからさらに下方へのスクロール操作指示がなされると図８（ｂ）に示す表示状態から図８（ｃ）に示す表示状態となる。この表示状態の変更は、上記図５の表示状態から図８（ａ）の表示状態となる場合と同様であり、スクロール範囲１０１の縮小処理および拡大処理は実行されていない。
【０１７６】
次に、図８（ｃ）の表示状態から、さらにユーザからの下方向へのスクロール操作指示を受け付けた場合、スクロール範囲縮小処理およびスクロール範囲拡大処理の判定は下記の通りとなる。
【０１７７】
まず、スクロール範囲縮小処理では、まず、図１０に示すステップＳ４０１の判定において、スクロール範囲１０１の内部には、分割固定範囲２０１が存在するため「ＹＥＳ」となる。次のステップＳ４０２では、スクロール範囲１０１の画像移動方向側の端部位置と、分割固定範囲２０１の画像移動方向側の端部位置とが一致するため、「ＹＥＳ」となる。
【０１７８】
そして続くステップＳ４０３では、スクロール範囲１０１は、分割固定範囲２０１を除いた状態（図１１（ａ））に縮小させ、スクロール範囲１０１の縮小処理を終了する。このようにスクロール範囲縮小処理の判定を実行した後、表示装置１０ではスクロール範囲拡大処理の判定を実行する。
【０１７９】
すなわち、まず、ステップＳ５１１における判定では、図１１（ａ）に示すようにスクロール範囲１０１の外部に分割固定範囲２０１が存在しているため「ＹＥＳ」となる。続くステップＳ５１２では、スクロール範囲１０１のスクロール操作指示方向側の端部位置において、分割固定範囲２０１と隣接していないことからここでの判定は「ＮＯ」となる。よって、スクロール範囲１０１の拡大処理は実行されず終了する。
【０１８０】
これにより、スクロール範囲１０１は縮小されたスクロール範囲１０１のままであり、このスクロール範囲１０１に表示される表示画像が１行分だけ上方に移動して表示された状態（図１１（ｂ））となる。
【０１８１】
一方、分割固定範囲２０１はこの時点ではスクロール範囲１０１外となっているため、表示領域９０における表示位置および分割固定範囲２０１に表示される表示画像に変更が生じない。
【０１８２】
以上のように、本実施の形態に係る表示装置１０では、上記した分割スクロール処理によって、下キーの押下による操作だけで分割した画面に対するスクロールを可能とする。またユーザは、分割固定範囲２０１を指定した後、この分割された分割固定範囲２０１に対してスクロール操作指示を行うために焦点を当てるなどの操作を必要とせず操作部１１の操作性が向上する。
【０１８３】
すなわち、下キーを押下するだけでスクロール範囲と分割固定範囲との２つの表示領域を含む表示領域に対するスクロール操作を扱うことができる。
【０１８４】
また、上記図１１（ｂ）の表示状態、すなわち図９（ａ）に示すようにスクロール範囲１０１の縮小処理がなされている表示状態において、ユーザから上方へのスクロール操作指示を受け付けた場合、スクロール範囲縮小処理およびスクロール範囲拡大処理それぞれにおける判定は下記の通りとなる。
【０１８５】
すなわち、まずスクロール範囲縮小処理では、図１０におけるステップＳ４０１において、スクロール範囲１０１には、分割固定範囲２０１が存在しないため、「ＮＯ」と判定される。よって、スクロール範囲１０１の縮小処理は実行されず終了する。
【０１８６】
続いてスクロール範囲拡大処理の判定を実行する。すなわち、図１２におけるステップＳ５１１での判定において、スクロール範囲１０１の外部に分割固定範囲２０１が存在することから「ＹＥＳ」となり、ステップＳ５１２に進む。
【０１８７】
次のステップＳ５１２における判定では、スクロール範囲１０１のスクロール操作指示方向側の端部位置において、分割固定範囲２０１の端部位置と隣接していることから「ＹＥＳ」となり、ステップＳ５１３に進む。
【０１８８】
次のステップＳ５１３では、スクロール範囲１０１のスクロール操作指示方向側の端部位置と、分割固定範囲２０１とにおける該スクロール範囲１０１と隣接する側とでは、両者における表示内容は、図９（ａ）に示すように前者が「００１６−ＦＧＨＩＪ」となり、後者が「００１４−ＵＶＷＸＹＺ」となる。この表示では、表示画像が連続する表示内容とならないため、ここでの判定は「ＮＯ」となる。よって、スクロール範囲拡大処理は実行されず終了する。
【０１８９】
このように、図９（ａ）に示す表示状態からスクロール範囲１０１に変更はなく、スクロール範囲１０１において表示される表示画像は１行分だけ下方向に移動させて表示した状態（図９（ｂ））となる。
【０１９０】
続いて、図９（ｂ）に示す表示状態からユーザからの上方向への操作指示に応じてさらに、スクロールする場合、スクロール範囲縮小処理およびスクロール範囲拡大処理それぞれにおける判定は下記のようになる。
【０１９１】
すなわち、まずスクロール範囲縮小処理の判定では次のようになる。ステップＳ４０１の判定において、図９（ｂ）に示す表示状態では、スクロール範囲１０１には、分割固定範囲２０１が存在しない。このためこのステップでの判定は「ＮＯ」となる。よって、スクロール範囲１０１の縮小処理は実行されず終了する。
【０１９２】
次に、スクロール範囲拡大処理の判定を実行する。まず、ステップＳ５１１の判定において、図９（ｂ）に示す表示状態は、スクロール範囲１０１の外部に分割固定範囲２０１が存在する。このため、このステップでの判定では「ＹＥＳ」となりステップＳ５１２に進む。
【０１９３】
続くステップＳ５１２では、スクロール範囲１０１のスクロール方向側の端部において分割固定範囲２０１と隣接している。このためこのステップでの判定は「ＹＥＳ」となり次のステップＳ５１３に進む。そして、次のステップＳ５１３における判定では、スクロール範囲１０１のスクロール操作指示方向側の端部位置において表示画像は、「００１５−ＡＢＣＤＥ」となる。一方、分割固定範囲２０１における、スクロール範囲１０１と隣接する側の端部位置において表示される表示画像は「００１４−ＵＶＷＸＹＺ」となる。このように両者における表示画像の表示内容が連続するためステップＳ５１３における判定は「ＹＥＳ」となり次のステップＳ５１４に進む。
【０１９４】
ステップＳ５１４では、スクロール範囲１０１を、分割固定範囲２０１を含んだ状態（図１３（ａ））となるように、スクロール範囲１０１の拡大処理を実行し終了する。これにより、縮小されたスクロール範囲１０１が、当初の分割固定範囲２０１を含むスクロール範囲１０１へと変更される。そして、図１３（ｂ）に示すようにスクロール範囲１０１において表示される表示画像が１行分だけ下方向に移動して表示された状態となる。
【０１９５】
ここで、図１３（ｂ）に示す表示状態から、さらにユーザから上方へのスクロール操作指示を受け付ける場合について説明する。すなわち、図１３（ｂ）の表示状態において、さらにユーザから上方へのスクロール操作指示がなされると、スクロール範囲縮小処理では下記のように判定される。
【０１９６】
すなわち、ステップＳ４０２において、スクロール範囲１０１内に、分割固定範囲２０１が存在するか否か判定される。ここでの判定は、図１３（ｂ）に示すように「ＹＥＳ」となり次のステップＳ４０２に進む。
【０１９７】
続くステップＳ４０２では、スクロール範囲１０１の画像移動方向側の端部位置と分割固定範囲２０１の画像移動方向側の端部位置とが一致するか否か判定する。ここで図１３（ｂ）に示すように、スクロール範囲１０１の画像移動方向側の端部位置において分割固定範囲２０１の端部位置と一致していないことから「ＮＯ」となる。よって、スクロール範囲１０１の縮小処理は実行されず終了する。
【０１９８】
上記のようにスクロール範囲縮小処理の判定が終了すると、次にスクロール範囲拡大処理の判定が下記のように実行される。
【０１９９】
すなわち、ステップＳ５１１の判定において、図１３（ｂ）の表示状態では、スクロール範囲１０１の外部に分割固定範囲２０１は存在していない。このためこのステップにおける判定は「ＮＯ」となる。よって、スクロール範囲拡大処理は実行されず終了する。これにより、スクロール範囲１０１の変更はなく、スクロール範囲１０１において表示される表示画像が１行分下方へ移動させられた状態で表示される（図１３（ｃ））。
【０２００】
さらに続けて、ユーザから上方へのスクロール操作指示を受け付けると、この操作指示１回ごとに表示状態が図１３（ｃ）から図１４（ａ）に、表示状態が図１４（ａ）から図１４（ｂ）に、表示状態が図１４（ｂ）から図１４（ｃ）に表示状態が変更となり、これらの表示状態の変更時における表示装置１０における各処理は、上記した図１３（ｂ）から図１３（ｃ）への表示状態の変更と同様となる。
【０２０１】
次に、上記図１４（ｃ）の表示状態からさらに上方向へのスクロール操作指示を受け付けた場合におけるスクロール範囲縮小処理およびスクロール範囲拡大処理それぞれにおける判定について説明する。まず、上記した処理と同様にスクロール範囲１０１の縮小処理に係る判定を実行する。
【０２０２】
すなわち、まず、図１０に示すステップＳ４０１に示す判定では、図１４（ｃ）の表示状態では、スクロール範囲１０１に分割固定範囲２０１が存在しているため「ＹＥＳ」となる。続くステップＳ４０２では、図１４（ｃ）の表示状態では、スクロール範囲１０１の画像移動方向側の端部位置と、分割固定範囲２０１に画像移動方向側に端部位置とが一致しているため、このステップの判定は「ＹＥＳ」となる。
【０２０３】
次のステップＳ４０３では、スクロール範囲１０１を、分割固定範囲２０１を除く範囲に変更するように、該スクロール範囲１０１を縮小させ（図１５（ａ））、スクロール範囲縮小処理は終了する。
【０２０４】
このようにスクロール範囲１０１の縮小処理を実行した後、次に、スクロール範囲１０１の拡大処理に係る判定を行う。
【０２０５】
すなわち、図１２に示すステップＳ５１１において、図１５（ａ）ではスクロール範囲１０１外に分割固定範囲２０１が存在しているため、このステップにおける判定は「ＹＥＳ」となる。続くステップＳ５１２では、図１５（ａ）は、スクロール範囲１０１のスクロール操作指示方向側において分割固定範囲２０１と隣接していないため「ＮＯ」となる。したがって、スクロール範囲１０１の拡大処理を実行せず終了する。
【０２０６】
上記した判定処理により、図１４（ｃ）に示す表示状態が、図１５（ａ）に示す表示状態へと変更されスクロール範囲１０１が縮小される。このスクロール範囲１０１が縮小された状態（図１５（ａ））において、ユーザからの上方へのスクロール操作指示に応じて、該スクロール範囲１０１の表示画像が下方向に１行分移動し図１５（ｂ）に示す表示状態となる。一方、分割固定範囲２０１における表示画像は、スクロール範囲１０１外となり変更されない。
【０２０７】
以上のように、本実施の形態に係る表示装置の分割スクロール処理では、上キーの押下による上方へのスクロール操作指示だけで分割された画面におけるスクロールを実行することができる。すなわち、ユーザは、分割固定範囲２０１を指定した後は、この分割された分割固定範囲２０１に焦点を当てる操作が必要なく操作部１１の操作性が向上する。
【０２０８】
また、以上のように上または下方向へのスクロール操作を繰り返した場合であっても、本実施の形態に係る表示装置１０では、分割固定範囲２０１とスクロール範囲１０１との表示画像の内容の連続性を保ってスクロールさせることができる。すなわち、分割固定範囲２０１に表示された表示画像の表示位置と、スクロール範囲１０１に表示された表示画像の表示位置とが逆転した表示関係となることがなく、ユーザは表示領域９０における表示画像の表示位置を容易に把握することができる。
【０２０９】
（分割固定範囲解除処理）
次に、図１６、および図１７を参照して、図３のステップＳ５０に示す分割固定範囲解除処理について詳細に説明する。
【０２１０】
図１６は、本実施の形態に係る表示装置１０における表示状態の一例を示すものであり、同図（ａ）〜（ｃ）それぞれは、分割固定範囲解除処理時における表示状態の一例を示す。なお、この図１６（ａ）の表示状態は、図１５（ｂ）の表示状態と同一である。
【０２１１】
また、図１７は、本実施の形態に係る表示装置１０における分割固定範囲解除処理の一例を示すフローチャートである。
【０２１２】
例えば、図１６（ａ）に示す表示状態において、ユーザから分割固定範囲２０１を解除させる旨の指示情報を操作部１４が受け付ける（図１７のＳ５０１において「ＹＥＳ」）。操作部１４は、このユーザからの指示を受け付けると、この指示を表示制御部１３に送信する。表示制御部１３は、操作部１４から上記指示を受信すると、初期値スクロール範囲情報１８を参照して、スクロール範囲１０１を初期状態に変更させるように表示部１１を制御する。このようにして、本実施の形態に係る表示装置１０では、スクロール範囲１０１を初期状態に変更させる（Ｓ５０２）。例えば、ユーザから分割固定範囲２０１を解除させる旨の指示情報を操作部１４が受け付けると、図１６（ａ）に示す表示状態から図１６（ｂ）に示す表示状態へとスクロール範囲１０１を変更させる。なお、このスクロール範囲１０１には分割固定範囲２０１を含んだ状態となっている。
【０２１３】
この分割固定範囲２０１の解除指示は、例えば、操作部１４の中央のキーを押下するとメニューが表示され、メニューから「分割固定範囲解除」という項目をユーザが選択することで操作部１４が受け付けることができる。もしくは、分割固定範囲２０１の解指示に対して個別に割り当てられている任意のキーが表示装置１０に備えられており、このキーをユーザが押下することで、分割固定範囲２０１の解除指示を操作部１４が受け付ける構成であってもよい。
【０２１４】
一方、操作部１４が分割固定範囲２０１の解除指示を受け付けていない間は（Ｓ５０１において「ＮＯ」）、分割固定範囲解除処理を実行じない（リターン）。このように、スクロール範囲１０１を初期状態に変更させると、次に、ステップＳ５０３において、表示装置１０は、レイアウト作成・表示処理を実行する。すなわち、表示制御部１３が電子データ１００を読み出すとともに、表示領域９０におけるスクロール範囲１０１の情報を取得する。そして、表示制御部１３は、取得したスクロール範囲情報および電子データ１００をレイアウト部１２に送信するとともに、該スクロール範囲１０１内に表示させるための表示用データを生成するように指示する。
【０２１５】
このようにレイアウト部１２が、表示制御部１３から電子データ１００および初期値スクロール範囲情報１８を取得すると、スクロール範囲１０１に表示させる表示用データであるレイアウトデータを生成することができる。そして、レイアウト部１２がレイアウトデータを生成すると、この作成したレイアウトデータを表示制御部１３が取得し、表示部１１に対して、該レイアウトデータを送信するとともに表示するように指示する。この表示制御部１３からの指示に応じて表示部１１は、レイアウトデータに基づき表示画像の表示を行う。
【０２１６】
すなわち、ここでのレイアウトデータに基づく表示画像の表示処理では、分割固定範囲２０１の指定範囲を解除させた表示状態となる。例えば、図１６（ｃ）に示すような表示状態となるように、スクロール範囲変更前の図１６（ａ）の表示状態の表示に合わせてレイアウト作成・表示処理する。
【０２１７】
なお、上記では、電子データ１００に基づく表示画像が横書きの文字であり、スクロール範囲１０１において上下方向にスクロールされる構成について説明した。また、この構成の表示装置１０では、上下方向へのスクロール操作指示方向に対して、垂直方向となる直線で分割固定範囲２０１を指定するように設定していた。しかしながら、表示画像の表示方向、スクロール範囲１０１における表示画像の移動方向、および分割固定範囲２０１の指定方法はこれに限定されるものではない。
【０２１８】
例えば、電子データ１００に基づく表示画像が縦書きの文字であり、スクロール範囲１０１における左右方向に対して該表示画像がスクロールされるように構成されていてもよい。以下実施例１として、このように電子データ１００に基づく表示画像が縦書きの文字であり、スクロール範囲１０１における左右方向に対して該表示画像がスクロールされるように構成されている場合について図１８〜図２０を参照して説明する。
【０２１９】
（実施例１）
なお、この図１８は、本実施の形態に係る表示装置１０のスクロール範囲１０１において分割固定範囲２０１を指定する一例を示す図である。この図１８では、図４０に示す電子データ１００に基づき、表示領域９０ける縦方向に表示させた表示画像に対して分割固定範囲２０１を指定する。
【０２２０】
そして、この図１８では表示領域９０において太線の矩形で表される範囲は、スクロール範囲１０１を示している。なお、このスクロール範囲１０１は、説明の便宜上、表示領域９０において矩形の太線によって示しているが、スクロール範囲１０１をこのような矩形画像によって必ずしも示す必要はない。
【０２２１】
このような表示状態の表示装置１０に対して、ユーザから分割固定範囲２０１の指定を指示する情報を操作部１４が受け付けた場合（図６のＳ３１において「ＹＥＳ」）、続くステップＳ３２では、開始位置としてＸｃ１をユーザが指定し、ステップＳ３３では、終了位置としてユーザがＸｃ２を指定する。そして、図６のステップＳ３４では、開始位置Ｘｃ１と終了位置Ｘｃ２とによって囲まれる斜線の範囲を分割固定範囲２０１として規定する。
【０２２２】
このように分割固定範囲２０１を規定した場合、スクロール範囲１０１における表示画像を左または右方向にスクロールさせると、例えば図１９（ａ）〜図１９（ｄ）に示すような表示状態となる。この図１９は、本実施の形態に係る表示装置１０のスクロール範囲１０１における表示画像を、左方向へのスクロール操作指示によりスクロールさせた場合の表示状態を示す図であり、同図（ａ）〜（ｄ）はそれぞれ、表示領域９０における表示状態の一例を示している。
【０２２３】
例えば、ユーザが左キーを一回押下して左方へのスクロール操作指示を実行すると、表示装置１０では、図１９（ａ）から図１９（ｂ）の表示状態、すなわち表示画像が右方に１行分移動して表示される表示状態になるものとする。
【０２２４】
この図１９において、図１９（ａ）、図１９（ｂ）、図１９（ｄ）は、図１８における表示状態から繰り返し、ユーザから左方へのスクロール操作指示を受け付け、順に分割スクロール処理を繰り返した状態を表している。また、図１９（ｃ）は、図１９（ｂ）から図１９（ｄ）に表示状態を変更する際のスクロール範囲１０１の変更を表す。
【０２２５】
図１８に示す表示状態において、ユーザから１回の左方へのスクロール操作指示を受け付けると、表示装置１０では、上記したスクロール範囲縮小処理およびスクロール範囲拡大処理それぞれにおける各判定が行われる。
【０２２６】
すなわち、スクロール範囲縮小処理における判定が次のようになされる。まず、図１０のステップＳ４０１における判定がなされる。図１８に示す表示状態ではスクロール範囲１０１に、分割固定範囲２０１が存在する。このためこのステップＳ４０１における判定は「ＹＥＳ」となりステップＳ４０２に進む。
【０２２７】
続くステップＳ４０２では、スクロール範囲１０１の画像移動方向側における端部位置と、分割固定範囲２０１の画像移動方向側における端部位置とが一致していないため、このステップにおける判定は「ＮＯ」となる。よって、スクロール範囲１０１の縮小処理は実行されず終了する。
【０２２８】
続いて今度はスクロール範囲１０１の拡大処理を実行する。具体的には以下の判定処理が行われる。すなわち、図１２に示すステップＳ５１１の判定では、スクロール範囲１０１外に分割固定範囲２０１が存在しないため「ＮＯ」となる。よって、スクロール範囲１０１の拡大処理は実行されず終了する。
【０２２９】
上記スクロールの縮小処理および拡大処理において、スクロール範囲１０１に変更が生じないまま、スクロール範囲１０１における表示画像を１行分右方へ移動させ、図１９（ａ）に示すような表示状態となる。
【０２３０】
続けて、さらにユーザから左方へのスクロール操作指示を受け付けると、表示状態が図１９（ａ）から図１９（ｂ）へと変更される。この表示状態の変更は上記した図１８から図１９（ａ）への変更と同様の処理が行われる。
【０２３１】
さらに図１９（ｂ）に示す表示状態において、ユーザから左方へのスクロール操作指示を受け付けた場合、スクロール範囲縮小処理の判定は下記のように実行される。すなわち、スクロール範囲１０１に分割固定範囲２０１が存在するため、ステップＳ４０１の判定は「ＹＥＳ」となりステップＳ４０２に進む。
【０２３２】
続くステップＳ４０２では、スクロール範囲１０１における画像移動方向側の端部位置と、分割固定範囲２０１における画像移動方向側の端部位置とが一致しているため「ＹＥＳ」となる。そして、次のステップＳ４０３では、スクロール範囲１０１を、分割固定範囲２０１を除いた状態へと縮小させる（図１９（ｃ））。そして、スクロール範囲縮小処理を終了させる。
【０２３３】
続いて、スクロール範囲１０１の拡大処理に係る判定を行う。すなわち、図１２のステップＳ５１１の判定では、スクロール範囲１０１外に分割固定範囲２０１が存在しているため、「ＹＥＳ」となる。次のステップＳ５１２では、スクロール範囲１０１のスクロール方向側の端部において、分割固定範囲２０１と隣接していないため、このステップにおける判定は「ＮＯ」となる。したがって、表示装置１０では、スクロール範囲１０１の拡大処理が実行されず終了する。
【０２３４】
したがって、スクロール範囲１０１の縮小処理が実行され、スクロール範囲１０１において表示される表示画像が１行分右方へ移動させられた表示状態（図１９（ｄ））となる。
【０２３５】
以上のように、左右方向にスクロールされるように構成されている表示装置１０では、
上記分割スクロール処理によって、例えば左キーの押下による左方へのスクロール操作だけで分割された画面におけるスクロールを可能とする。
【０２３６】
このためユーザは、分割固定範囲２０１を指定した後は、分割された画面それぞれに焦点を当てるなど余分な操作を行う必要がなく、操作部１１の操作性が向上する。
【０２３７】
上記では表示画像（縦書きの文字）をユーザからの左方向へのスクロール操作指示に応じてスクロールする表示装置１０について説明したが、今度は、図１９（ｄ）に示す表示状態から逆に右方向へのスクロール操作指示を受けてスクロールする場合における処理について図２０を参照して説明する。
【０２３８】
なお、この図２０は、本実施の形態に係る表示装置１０のスクロール範囲１０１における表示画像を、右方向へのスクロール操作指示に応じてスクロールした場合の表示状態を示す図であり、同図（ａ）〜（ｄ）はそれぞれ、表示領域９０における表示状態の一例を示している。
【０２３９】
この図２０において、図２０（ａ）、図２０（ｂ）、図２０（ｄ）は、図１９（ｄ）における表示状態から繰り返し、ユーザからの右方へのスクロール操作指示を受け付け、順に分割スクロール処理を繰り返した状態を表している。また、図２０（ｃ）は、図２０（ｂ）から図２０（ｄ）への表示状態となるように分割スクロールする場合のスクロール範囲１０１の変更を表す。
【０２４０】
ここでは、ユーザが右キーを一回押下すると、図２０（ａ）から図２０（ｂ）の表示状態となり、レイアウトが右方に１行分スクロールされる、すなわち表示画像が左方向に１行分移動するものとする。
【０２４１】
まず、図２０（ａ）に示す表示状態、すなわち図１９（ｄ）に示す表示状態において、ユーザから右方へのスクロール操作指示を受け付けると、表示装置１０では、上記したスクロール範囲縮小処理およびスクロール範囲拡大処理における各判定が行われる。
【０２４２】
まず、スクロール範囲縮小処理として図１０のステップＳ４０１における判定では、図２０（ａ）に示す表示状態ではスクロール範囲１０１に、分割固定範囲２０１が存在しないため「ＮＯ」となる。したがって、スクロール範囲１０１の縮小処理は実行されず終了する。
【０２４３】
次に、スクロール範囲拡大処理として図１２のステップＳ５１１では、スクロール範囲１０１外に分割固定範囲２０１が存在するため「ＹＥＳ」となる。続くステップＳ５１２では、スクロール範囲１０１のスクロール方向側の端部において分割固定範囲２０１と隣接しているため「ＹＥＳ」となる。
【０２４４】
次のステップＳ５１３では、隣接するスクロール範囲１０１と分割固定範囲２０１との間において表示画像が連続するか否か判定を行う。図２０（ａ）に示す表示例では、スクロール範囲１０１のスクロール方向側（分割固定範囲２０１と隣接する側）における表示画像が「００１５−ＡＢＣＤＥ」であり、一方、分割固定範囲２０１のスクロール範囲１０１と隣接する側における表示画像が「００１３−ＦＱＲＳＴ」となる。このため両者の表示画像の表示内容は連続するものではなくステップＳ５１３における判定は「ＮＯ」となる。
【０２４５】
よって、スクロール範囲１０１の拡大処理は実行されず終了する。これにより、スクロール範囲１０１に対する変更はなく、スクロール範囲１０１における表示画像が１行分右方へスクロールされて表示状態が図２０（ｂ）に示すようになる。
【０２４６】
ここでさらに、図２０（ｂ）に示す表示状態においてユーザからの右方へのスクロール操作指示を受け付けると、スクロール範囲縮小処理におけるステップＳ４０１では、表示状態が図２０（ｂ）の場合、スクロール範囲１０１内に、分割固定範囲２０１が存在しないため「ＮＯ」となる。よって、スクロール範囲１０１の縮小処理は実行されず終了する。
【０２４７】
次に、スクロール範囲１０１の拡大処理における判定が行われる。すなわち、ステップＳ５１１では、スクロール範囲１０１外に分割固定範囲２０１が存在するため「ＹＥＳ」となる。続くステップＳ５１２では、スクロール範囲１０１のスクロール操作指示方向側の端部位置において、分割固定範囲２０１と隣接していることから「ＹＥＳ」となる。
【０２４８】
次のステップＳ５１３では、隣接するスクロール範囲１０１と分割固定範囲２０１との間において表示画像が連続するか否か判定を行う。図２０（ｂ）に示す表示例では、スクロール範囲１０１のスクロール方向側（分割固定範囲２０１と隣接する側）における表示画像が「００１４−ＵＶＷＸＹＺ」であり、一方、分割固定範囲２０１のスクロール範囲１０１と隣接する側における表示画像が「００１３−ＦＱＲＳＴ」となる。このため両者の表示画像は連続する内容となり、ステップＳ５１３における判定は「ＹＥＳ」となる。
【０２４９】
このため、次のステップＳ５１４では、スクロール範囲１０１を、分割固定範囲２０１を含んだ状態（図２０（ｃ））に拡大し、スクロール範囲拡大処理を終了する。このように、スクロール範囲１０１は図２０（ｃ）に示すように分割固定範囲２０１をも含む範囲に拡大され、ユーザからの右方へのスクロール操作指示に応じて、拡大されたこのスクロール範囲１０１の表示画像が１行分左方へ移動した状態で表示される（図２０（ｄ））。
【０２５０】
以上のように、左右方向にスクロールされるように構成されている表示装置１０では、
上記分割スクロール処理によって、例えば右キーの押下による右方へのスクロール操作指示だけで分割した画面のスクロールが可能となる。
【０２５１】
このためユーザは、分割固定範囲２０１を指定した後は、分割された範囲（分割固定範囲）に焦点を当てる必要がなく、操作部１１の操作性が向上する。
【０２５２】
以上のように左または右方向へのスクロール操作指示を繰り返し受け付けた場合であっても、本実施の形態に係る表示装置１０では、分割固定範囲２０１とスクロール範囲１０１との表示画像の内容の連続性を保ってスクロールさせることができる。すなわち、分割固定範囲２０１に表示された表示画像の表示位置と、スクロール範囲１０１に表示された表示画像の表示位置とが逆転した表示関係となることがなく、ユーザは表示領域９０における表示画像の表示位置を容易に把握することができる。
【０２５３】
また、上記では、分割固定範囲２０１を１つ指定する場合について説明したが、本発明はこれに限定されるものではなく、例えば分割固定範囲２０１を複数指定した構成であってもよい。以下実施例２として、スクロール範囲１０１において分割固定範囲２０１を複数指定することが可能となるように構成されている場合について図２１〜図２３を参照して説明する。
【０２５４】
（実施例２）
図２１は、図４１に示した電子データ１００に基づく表示画像に対して分割固定範囲２０１を複数指定する一例を示す図である。この図２１では、上記電子データ１００を表示させた場合における、表示領域９０の一状態を表している。そして、図５と同様に、表示領域９０において太線の矩形で表される範囲は、スクロール範囲１０１を示している。なお、このスクロール範囲１０１は、説明の便宜上、表示領域９０において矩形の太線によって示しているが、スクロール範囲１０１をこのような矩形画像によって必ずしも示す必要はない。
【０２５５】
このような表示状態の表示装置１０に対して、ユーザからまず、分割固定範囲２０１ａの指定を指示する情報を操作部１４が受け付けた場合（図６のＳ３１において「ＹＥＳ」）、続くステップＳ３２では、開始位置としてＹｄ１をユーザが指定し、ステップＳ３３では、終了位置としてユーザがＹｄ２を指定する。
【０２５６】
このため、図６のステップＳ３４では、開始位置Ｙｄ１と終了位置Ｙｄ２とによって囲まれる斜線の範囲を分割固定範囲２０１ａとして規定する。
【０２５７】
ここでは、さらに他の分割固定範囲２０１ｂを規定する構成であるため、再度、上記ステップＳ３２およびステップＳ３３を実行する。すなわち、２つ目の分割固定範囲２０１ｂとして、ステップ３２で開始位置Ｙｄ３を指定し、ステップＳ３３では、終了位置Ｙｄ４を指定する。そしてステップＳ３４では、開始位置Ｙｄ３と終了位置Ｙｄ４によって囲まれる斜線の範囲を分割固定範囲として規定する。なお、上記したように表示領域９０に座標を設定しているが、この設定されている座標の値で上記Ｙｄ１、Ｙｄ２、Ｙｄ３、Ｙｄ４の関係を表すと、各位置はＹｄ１＜Ｙｄ２＜Ｙｄ３＜Ｙｄ４が成り立つものとする。
【０２５８】
この図２２は、本実施の形態に係る表示装置１０の表示領域９０において、分割固定範囲２０１ａ・２０１ｂを複数指定し、下方へのスクロール操作指示を受け付けた場合の表示状態を示す図であり、同図（ａ）〜（ｆ）はそれぞれ、表示領域９０における表示状態の一例を示している。またここでは、下キーを一回押下すると、表示画像が上方に１行分移動し表示されるものとする。
【０２５９】
この図２２において、図２２（ａ）、図２２（ｃ）、図２２（ｄ）、図２２（ｆ）は、図２１における表示状態から繰り返し、ユーザからのスクロール操作指示を受け付け、順に分割スクロール処理を繰り返した状態を表している。また、図２２（ｂ）は、図２２（ａ）から図２２（ｃ）の表示状態となるように分割スクロールする場合のスクロール範囲１０１の変更を表し、図２２（ｅ）は、図２２（ｄ）から図２２（ｆ）の表示状態となるように分割スクロールする場合のスクロール範囲１０１の変更を表す。
【０２６０】
まず、図２１に示す表示状態から下方へのスクロール操作指示を受け付けた場合における処理について説明する。まず、ユーザからのスクロール操作指示を受け付けると、スクロール範囲縮小処理の判定を行う。すなわち、ステップＳ４０１では、図２１に示す表示状態では、スクロール範囲１０１内に、２つの分割固定範囲２０１ａ・２０１ｂが存在している。このためこのステップでの判定は「ＹＥＳ」となる。
【０２６１】
続くステップＳ４０２では、スクロール範囲１０１の画像移動方向側の端部位置と分割固定範囲２０１ａ・２０１ｂの画像移動方向側の端部位置とが一致していないため、このステップでの判定は「ＮＯ」となる。よって、スクロール範囲１０１の縮小処理は実行されず終了する。
【０２６２】
次に、スクロール範囲１０１の拡大処理に関する判定を行う。すなわち、図１２に示すステップＳ５１１において、図２１に示す表示状態では、スクロール範囲１０１外に分割固定範囲２０１ａ・２０１ｂが存在しないためここでの判定は「ＮＯ」となる。よって、スクロール範囲１０１の拡大処理は実行されず終了する。これにより、スクロール範囲１０１に変更はなく、スクロール範囲１０１内に表示されている表示画像を１行分上方へ移動した表示状態である図２２（ａ）となる。
【０２６３】
次に、図２２（ａ）に示す表示状態において、ユーザから１回の下方へのスクロール操作指示を受け付けた場合の処理について説明する。まず、スクロール範囲１０１の縮小処理に関する判定においてステップＳ４０１では、スクロール範囲１０１に２つの分割固定範囲２０１ａ・２０１ｂが存在するため、このステップでの判定は「ＹＥＳ」となる。
【０２６４】
次のステップＳ４０２では、スクロール範囲１０１の画像移動方向側の端部位置と分割固定範囲２０１ａの画像移動方向側の端部位置とが一致するため、ステップＳ４０３において、このスクロール範囲１０１を、分割固定範囲２０１ａを除く範囲に変更させる。
【０２６５】
このように、スクロール範囲１０１を、分割固定範囲２０１ａを除いた状態（図２２（ｂ））のスクロール範囲１０１へと縮小させ、スクロール範囲１０１の縮小処理を終了する。
【０２６６】
次に、スクロール範囲１０１の拡大処理に関する判定を行う。すなわち、ステップＳ５１１では、スクロール範囲１０１外に分割固定範囲２０１ａが存在しているため、このステップでの判定は「ＹＥＳ」となる。続くステップＳ５１２では、スクロール範囲１０１のスクロール操作指示方向側の端部位置において分割固定範囲と隣接するか否かを判定する。このステップにおける判定では、図２２（ｂ）に示すように、スクロール範囲１０１のスクロール操作指示方向側の端部位置において分割固定範囲と隣接していないため、ここでの判定は「ＮＯ」となりスクロール範囲１０１の拡大処理を実行せず終了する。
【０２６７】
これにより、スクロール範囲１０１が図２２（ｂ）に示すように縮小され、スクロール範囲１０１において表示される表示画像が１行分上方へ移動して表示された状態（図２２（ｃ））となる。分割固定範囲２０１ａは、スクロール範囲１０１外となるため該分割固定範囲２０１ａに表示されている表示画像に変更はない。
【０２６８】
次に図２２（ｃ）に示す表示状態において、ユーザからさらに下方へのスクロール操作指示を受け付けた場合の処理を説明する。まず、スクロール範囲１０１の縮小処理に関する判定において、ステップＳ４０１では、スクロール範囲１０１に分割固定範囲２０１ｂが存在するため、このステップでの判定は「ＹＥＳ」となる。
【０２６９】
次のステップＳ４０２では、スクロール範囲１０１の画像移動方向側の端部位置と、スクロール範囲１０１に存在する分割固定範囲２０１ｂの画像移動方向側の端部位置とが一致しないため、ここでの判定は「ＮＯ」となる。このため、図２２（ｃ）に示す表示状態からスクロール範囲１０１のさらなる縮小はなくスクロール範囲縮小処理を終了する。
【０２７０】
次に、スクロール範囲１０１の拡大処理に関する判定を行う。すなわち、ステップＳ５１１では、スクロール範囲１０１外に分割固定範囲２０１ａが存在しているため、このステップでの判定は「ＹＥＳ」となる。
【０２７１】
続くステップＳ５１２では、スクロール範囲１０１のスクロール操作指示方向側の端部位置において分割固定範囲と隣接するか否かを判定する。このステップにおける判定では、図２２（ｃ）に示すように、スクロール範囲１０１のスクロール操作指示方向側の端部位置において分割固定範囲と隣接していないため、ここでの判定は「ＮＯ」となりスクロール範囲１０１の拡大処理を実行せず終了する。
【０２７２】
この処理により、スクロール範囲１０１を変更しないまま、該スクロール範囲１０１に表示される表示画像が１行分上方へ移動し表示され図２２（ｄ）に示す表示状態となる。なお、分割固定範囲２０１ａ内の表示画像の表示に変更はない。
【０２７３】
次に、図２２（ｄ）に示す表示状態において、ユーザから下方へのスクロール操作指示を受け付けた場合について説明する。
【０２７４】
まず、スクロール範囲１０１の縮小処理に関する判定において、ステップＳ４０１では、スクロール範囲１０１に分割固定範囲２０１ｂが存在するため、このステップでの判定は「ＹＥＳ」となる。
【０２７５】
次のステップＳ４０２では、スクロール範囲１０１の画像移動方向側の端部位置と、スクロール範囲１０１に存在する分割固定範囲２０１ｂの画像移動方向側の端部位置とが一致するため、ここでの判定は「ＹＥＳ」となる。このため、次のステップＳ４０３に進み、スクロール範囲１０１を、分割固定範囲２０１ｂを除いた状態（図２２（ｅ））に縮小し、スクロール範囲縮小処理を終了する。
【０２７６】
次に、スクロール範囲１０１の拡大処理に関する判定を行う。すなわち、ステップＳ５１１では、スクロール範囲１０１外に分割固定範囲２０１ａ・２０１ｂが存在しているため、このステップでの判定は「ＹＥＳ」となる。
【０２７７】
続くステップＳ５１２では、スクロール範囲１０１のスクロール操作指示方向側の端部位置において分割固定範囲の端部と隣接するか否かを判定する。このステップにおける判定では、図２２（ｆ）に示すように、スクロール範囲１０１のスクロール方向側の端部位置において分割固定範囲と隣接していない。このため、ここでの判定は「ＮＯ」となりスクロール範囲１０１の拡大処理を実行せず終了する。
【０２７８】
この処理により、スクロール範囲１０１がさらに図２２（ｅ）に示すように縮小され、該スクロール範囲１０１に表示される表示画像が１行分上方に移動し図２２（ｆ）に示す表示状態となる。なお、分割固定範囲２０１ａ・２０１ｂ内の表示画像の表示に変更はない。
【０２７９】
以上のように、分割スクロール処理によって、下キーの押下による下方へのスクロール操作指示だけで複数に分割された画面でのスクロールが可能となる。このようにユーザは、分割固定範囲２０１ａ・２０１ｂをそれぞれ指定した後、この分割された分割固定範囲２０１ａ・２０１ｂそれぞれに焦点を当てるなど余分な操作を必要とすることがないため、操作部１１の操作性を向上させることができる。
【０２８０】
続いて、図２２（ｆ）に示す表示状態において、ユーザから上方へのスクロール操作指示を受け付けた場合について図２３を参照して説明する。
【０２８１】
この図２３は、本実施の形態に係る表示装置１０の表示領域９０において、分割固定範囲２０１ａ・２０１ｂを複数指定し、上方へのスクロール操作指示をユーザから受け付けた場合の表示状態を示す図であり、同図（ａ）〜（ｆ）はそれぞれ、表示領域９０における表示状態の一例を示している。またここでは、上キーを一回押下すると、表示画像が上方に１行分移動して表示されるものとする。
【０２８２】
この図２３において、図２３（ａ）、図２３（ｂ）、図２３（ｄ）、図２３（ｅ）は、図２２（ｆ）における表示状態から繰り返し、ユーザからのスクロール操作指示を受け付け、順に分割スクロール処理を繰り返した状態を表している。
【０２８３】
また、図２３（ｃ）は、図２３（ｂ）から図２３（ｄ）への表示状態となるように分割スクロールする場合のスクロール範囲１０１の変更を表し、図２３（ｆ）は、図２３（ｅ）から図２１への表示状態となるように分割スクロールする場合のスクロール範囲１０１の変更を表す。
【０２８４】
ここで、図２３（ａ）、すなわち図２２（ｆ）に示す表示状態において、ユーザから上方へのスクロール操作指示を受け付けた場合について説明する。
【０２８５】
まず、スクロール範囲１０１の縮小処理に関する判定において、ステップＳ４０１では、スクロール範囲１０１に分割固定範囲２０１ａおよび分割固定範囲２０１ｂともに存在しないため、このステップでの判定は「ＮＯ」となる。したがって、スクロール範囲１０１の縮小処理は実行されず終了する。
【０２８６】
次に、スクロール範囲１０１の拡大処理に関する判定を行う。すなわち、ステップＳ５１１では、スクロール範囲１０１外に分割固定範囲２０１ａ・２０１ｂが存在しているため、このステップでの判定は「ＹＥＳ」となる。
【０２８７】
続くステップＳ５１２では、スクロール範囲１０１のスクロール操作指示方向側の端部位置において分割固定範囲２０１ｂと隣接するため、ここでの判定は「ＹＥＳ」となる。次のステップＳ５１３では、隣接するスクロール範囲１０１と分割固定範囲２０１ｂとの間で表示画像が連続していない、すなわち、スクロール範囲１０１のスクロール操作指示方向側の表示画像「００１８−ＰＱＲＳＴ」と、分割固定範囲２０１ｂの、スクロール範囲１０１に隣接する側の表示画像「００１６−ＦＧＨＩＪ」とは連続した内容ではないため「ＮＯ」となる。
【０２８８】
したがって、スクロール範囲１０１の拡大処理は実行されず終了する。これにより、スクロール範囲１０１は、図２３（ａ）に示される範囲と変更なく、スクロール範囲１０１において表示されている表示画像が１行分下方へ移動して図２３（ｂ）に示す表示状態となる。なお、分割固定範囲２０１ａ・２０１ｂはスクロール範囲１０１外となり表示に変更はない。
【０２８９】
次に、図２３（ｂ）に示す表示状態において、ユーザから上方へのスクロール操作指示を受け付けた場合について説明する。
【０２９０】
まず、スクロール範囲１０１の縮小処理に関する判定において、ステップＳ４０１では、スクロール範囲１０１に分割固定範囲２０１ａおよび分割固定範囲２０１ｂともに存在しないため、このステップでの判定は「ＮＯ」となる。したがって、スクロール範囲１０１の縮小処理は実行されず終了する。
【０２９１】
次に、スクロール範囲１０１の拡大処理に関する判定を行う。すなわち、ステップＳ５１１では、スクロール範囲１０１外に分割固定範囲２０１ａ・２０１ｂが存在しているため、このステップでの判定は「ＹＥＳ」となる。
【０２９２】
続くステップＳ５１２では、スクロール範囲１０１のスクロール操作指示方向側の端部位置において分割固定範囲２０１ｂと隣接するため、ここでの判定は「ＹＥＳ」となる。次のステップＳ５１３では、隣接するスクロール範囲１０１と分割固定範囲２０１ｂとの間で表示画像の内容が連続している、すなわち、スクロール範囲１０１のスクロール操作指示方向側の表示画像「００１７−ＫＬＭＮＯ」と、分割固定範囲２０１ｂの、スクロール範囲１０１に隣接する側の表示画像「００１６−ＦＧＨＩＪ」とは連続していることから「ＹＥＳ」となる。
【０２９３】
このため、次のステップ５１４に進み、スクロール範囲１０１を、分割固定範囲２０１ｂを含んだ状態（図２３（ｃ））となるように拡大させ、スクロール範囲拡大処理を終了する。
【０２９４】
これにより、スクロール範囲１０１は、スクロール範囲１０１が図２３（ｂ）に示す範囲から図２３（ｄ）に示す範囲に拡大され、またスクロール範囲１０１に表示される表示画像を１行分下方に移動して表示させ、図２３（ｄ）に示す表示状態となる。すなわち、図２３（ｄ）に示すように、スクロール範囲１０１において、該スクロール範囲１０１内に表示される表示画像と分割固定範囲において表示される表示画像とが互いに連続するような位置関係を保持したまま上方へのスクロール操作指示に応じたスクロールが実行される。なお、分割固定範囲２０１ａはスクロール範囲１０１外となるため、分割固定範囲４０１の表示には変更がない。
【０２９５】
次に、図２３（ｄ）に示す表示状態において、ユーザから上方へのスクロール操作指示を受け付けた場合について説明する。
【０２９６】
まず、スクロール範囲１０１の縮小処理に関する判定において、ステップＳ４０１では、スクロール範囲１０１に分割固定範囲２０１ｂが存在するため、このステップでの判定は「ＹＥＳ」となる。したがって、ステップＳ４０２に進み、スクロール範囲１０１の画像移動方向側の端部位置と分割固定範囲の画像移動方向側の端部位置とが一致するか判定する。図２３（ｄ）では、スクロール範囲１０１の画像移動方向側の端部位置と、このスクロール範囲１０１内に存在する分割固定範囲２０１ｂの画像移動方向側の端部位置とが一致しないためスクロール範囲１０１の縮小処理を終了する。
【０２９７】
次に、スクロール範囲１０１の拡大処理に関する判定を行う。すなわち、ステップＳ５１１では、スクロール範囲１０１外に分割固定範囲２０１ａが存在しているため、このステップでの判定は「ＹＥＳ」となる。続くステップＳ５１２では、図２３（ｄ）において、スクロール範囲１０１のスクロール方向側の端部で分割固定範囲２０１ａと隣接しているため、このステップでの判定は「ＹＥＳ」となる。
【０２９８】
次のステップＳ５１３では、スクロール範囲１０１のスクロール操作指示方向である上方の末端の境界において、隣接する上記スクロール範囲１０１と分割固定範囲との間において表示画像の内容が連続するか否かを判定する。ここで、隣接する上記スクロール範囲１０１のスクロール操作指示方向側の表示画像が「００１４−ＵＶＷＸＹＺ」であり、一方、分割固定範囲２０１ａのスクロール範囲１０１と隣接する側の表示画像が「００１２−ＫＬＭＮＯ」であるため、その表示内容は連続しておらず、ここでの判定は「ＮＯ」となる。よって、スクロール範囲１０１の拡大処理の実行は行われず終了する。
【０２９９】
これにより、図２３（ｄ）に示すスクロール範囲１０１に変更はなく、このスクロール範囲１０１において表示される表示画像を１行分下方に移動し表示させる（図２３（ｅ））。なお、分割固定範囲２０１ａはスクロール範囲１０１外であるため、分割固定範囲２０１ａにおいて表示される表示画像に変更はない。
【０３００】
次に、図２３（ｅ）に示す表示状態において、ユーザから上方へのスクロール操作指示を受け付けた場合について説明する。
【０３０１】
まず、スクロール範囲１０１の縮小処理に関する判定において、ステップＳ４０１では、スクロール範囲１０１に分割固定範囲２０１ｂが存在するため、このステップでの判定は「ＹＥＳ」となる。したがって、ステップＳ４０２に進み、スクロール範囲１０１の画像移動方向側の端部位置と分割固定範囲の画像移動方向側の端部位置とが一致するか判定する。図２３（ｅ）では、スクロール範囲１０１の画像移動方向側の端部位置と、このスクロール範囲１０１内に存在する分割固定範囲２０１ｂの画像移動方向側の端部位置とが一致しないためスクロール範囲１０１の縮小処理を終了する。
【０３０２】
次に、スクロール範囲１０１の拡大処理に関する判定を行う。すなわちステップＳ５１１では、スクロール範囲１０１の外部に分割固定範囲２０１ａが存在することからここでの判定では「ＹＥＳ」となる。
【０３０３】
続くステップ５１２では、スクロール範囲１０１のスクロール操作指示方向側の端部位置において、分割固定範囲２０１ａと隣接していることからここでの判定は「ＹＥＳ」となる。このため次のステップＳ５１３では、スクロール範囲１０１と該スクロール範囲１０１と隣接する分割固定範囲２０１ａとの間で表示画像の内容が連続するか否かを判定する。すなわち、図２３（ｅ）に示すように、スクロール範囲１０１において、スクロール操作指示方向側に表示されている表示画像（「００１３−ＰＱＲＳＴ」）と分割固定範囲２０１ａにおいて上記スクロール範囲１０１と隣接する側に表示されている表示画像（「００１２−ＫＬＭＮＯ」は連続しているため、ここでの判定は「ＹＥＳ」となる。
【０３０４】
このためステップＳ５１４に進み、スクロール範囲１０１を、分割固定範囲２０１ａ・２０１ｂともに含んだ状態（図２３（ｆ））に拡大させ、スクロール範囲拡大処理を終了する。これにより、スクロール範囲１０１は、図２１に示すように範囲が拡大され、スクロール範囲１０１において表示される表示画像が１行分下方へ移動し表示された状態となる。
【０３０５】
さらに続けて、ユーザから上方へのスクロール操作指示を受け付けると、図２１に示す表示状態から分割固定範囲２０１ａ・２０１ｂそれぞれがスクロール範囲１０１における下方に固定された状態となる。この以降の処理は上記した下方へのスクロール操作指示に応じた分割スクロール処理と、表示画像のスクロールさせる方向が逆となるだけで、処理内容はほぼ同様となるため説明は省略する。
【０３０６】
以上のように、分割スクロール処理によって、上キーの押下による上方へのスクロール操作指示だけで複数に分割された画面に対するスクロールが可能となる。このようにユーザは、分割固定範囲２０１ａ・２０１ｂをそれぞれ指定した後、この分割された分割固定範囲２０１ａ・２０１ｂそれぞれに焦点を当てるなど余分な操作を必要とせず、操作部１１の操作性が向上する。
【０３０７】
すなわち、図２１に示すように、スクロール範囲１０１において、該スクロール範囲１０１内に表示される表示画像と分割固定範囲２０１ａ・２０１ｂにおいて表示される表示画像との内容が互いに連続するような位置関係を保持したまま上方にスクロールされる。
【０３０８】
このため、複数の分割固定範囲２０１ａ・２０１ｂに表示された表示画像の位置と、スクロール範囲１０１に表示された表示画像の位置とが逆転して表示されることがなく、ユーザは電子データ１００の位置を把握しやすい。
【０３０９】
以上、電子データ１００に基づく表示画像を横書きに表示させ、表示領域９０におけるスクロール範囲１０１のスクロール方向（上下方向）に対して、垂直となる直線で分割固定範囲を複数指定して分割スクロールする場合について説明した。
【０３１０】
また、上記表示装置１０では表示画像として文字が表示される構成であったが、表示される表示画像はこれに限定されるものではなく、図形等であってもよい。以下実施例３として、表示装置１０の表示部１１に表示画像として図形等を表示させ、該表示画像に対する分割スクロールについて図２４〜図２７を参照して説明する。
【０３１１】
（実施例３）
図２４は、本実施の形態に係る表示装置１０において表示される表示画像の電子データ１００の一例を示す図である。すなわち、本実施の形態に係る表示装置ではこの電子データ１００に基づき、図２４に示すように３人の人物とその背景に山が描写された画像を表示させることができる。なお、この図２４に示す電子データ１００において説明の便宜上、左側の人物を人物６０１、中央の人物を人物６０２、右側の人物を人物６０３とする。
【０３１２】
図２５は、図２４に示された電子データ１００に基づき表示領域９０に表示された表示画像の中の人物６０２に対して分割固定範囲２０２を指定する一例を示す図である。この図２５に示す表示状態において、太線の矩形で表される範囲は、スクロール範囲１０１である。なお、この図２５に示す表示状態では人物６０２を、表示領域９０における中央にレイアウトした場合の表示状態を示している。
【０３１３】
ここでこの図２４に示す表示状態における分割固定範囲指定処理について説明する。まず、ユーザからの分割固定範囲指定指示を操作部１４が受け付けると（Ｓ３１において「ＹＥＳ」）、次にユーザから分割固定範囲開始位置の指定の入力を受け付ける（Ｓ３２）。このステップＳ３２では、開始位置として表示領域９０上における座標（Ｘｆ１，Ｙｆ１）を指定する。
【０３１４】
上記開始位置の指定の入力を受け付けると、次に、ユーザから分割固定範囲終了位置の指定の入力を受け付ける（Ｓ３３）。このステップＳ３３では、終了位置として表示領域９０上における座標（Ｘｆ２，Ｙｆ２）を指定する。
【０３１５】
そして、ステップＳ３４では、開始位置（Ｘｆ１，Ｙｆ１）と終了位置（Ｘｆ２，Ｙｆ２）とによって囲まれる斜線の範囲を分割固定範囲２０２として規定する。この分割固定範囲２０２は、図２５に示すように人物６０２を包含する範囲となっている。
【０３１６】
また、上記図２６は、本実施の形態に係る表示装置１０の表示領域９０において、分割固定範囲２０２を指定し、左方または右方へとスクロールした場合の表示状態を示す図であり、同図（ａ）〜（ｆ）はそれぞれ、表示領域９０における表示状態の一例を示している。またここでは、左キーまたは右キーを一回押下すると、表示画像を左または右に所定の画素数分移動させるものとする。
【０３１７】
なお、この図２６（ａ）に示す表示状態は、上記した図２５に示す表示状態と同一となっている。また、図２６（ｂ）に示す表示状態、図２６（ｄ）に示す表示状態、図２６（ｅ）に示す表示状態は、図２６（ａ）に示す表示状態から、ユーザからのスクロール操作指示を繰り返し受け付け、この受け付けた指示に応じて順に分割スクロール処理を繰り返した表示状態を表す。
【０３１８】
また、図２７は、本実施の形態に係る表示装置１０の表示領域９０において、分割固定範囲２０２を指定し、左右あるいは上下へとスクロールした場合の表示状態を示す図であり、同図（ａ）〜（ｅ）はそれぞれ、表示領域９０における表示状態の一例を示している。またここでは、ユーザが左右キーあるいは上下キーを一回押下すると、表示画像が左右あるいは上下に所定の画素数分移動させられるものとする。
【０３１９】
また、図２７（ａ）に示す表示状態、図２７（ｂ）に示す表示状態、図２７（ｄ）に示す表示状態は、図２７（ｅ）に示す表示状態は、図２６（ａ）に示す表示状態から、ユーザからのスクロール操作指示を繰り返し受け付け、この受け付けた指示に応じて順に分割スクロール処理を繰り返した表示状態を表す。
【０３２０】
まずここで、図２６（ａ）に示す表示状態において、本実施の形態に係る表示装置１０がユーザから右方へのスクロール操作指示を受け付け、分割スクロールを行う処理について説明する。まず、操作部１４がユーザからのスクロール操作指示を受け付けると、スクロール範囲１０１の縮小処理の判定を行う。すなわち、図２６（ａ）に示す表示状態では、スクロール範囲１０１内に分割固定範囲２０２が存在している。このため、ステップＳ４０１における判定は「ＹＥＳ」となる。
【０３２１】
続くステップＳ４０２では、スクロール範囲１０１の画像移動方向側の端部位置と分割固定範囲２０２の画像移動方向側の端部位置とが一致していないため、このステップでの判定は「ＮＯ」となる。よって、スクロール範囲１０１の縮小処理は実行されず終了する。
【０３２２】
次に、スクロール範囲拡大処理に関する判定を行う。すなわち、図１２に示すステップＳ５１１において、図２６（ａ）に示す表示状態では、スクロール範囲１０１外に分割固定範囲２０２が存在しないためここでの判定は「ＮＯ」となる。よって、スクロール範囲１０１の拡大処理は実行されず終了する。
【０３２３】
このため、スクロール範囲１０１に変更はなく、スクロール範囲１０１内に表示されている表示画像を所定画素分だけ左方へ移動させた状態である図２６（ｂ）となる。
【０３２４】
続いて、図２６（ｂ）に示す表示状態において、本実施の形態に係る表示装置１０がユーザから右方へのスクロール操作指示を受け付け、分割スクロールを行う処理について説明する。上記したように、ユーザからのスクロール操作指示を受け付けると、スクロール範囲１０１の縮小処理の判定を行う。すなわち、図２６（ｂ）に示す表示状態では、スクロール範囲１０１内に分割固定範囲２０２が存在している。このため、ステップＳ４０１における判定は「ＹＥＳ」となる。
【０３２５】
続くステップＳ４０２では、スクロール範囲１０１の画像移動方向側の端部位置と分割固定範囲２０２の画像移動方向側の端部位置とが一致しているため、このステップでの判定は「ＹＥＳ」となる。このため、次のステップＳ４０３において、上記スクロール範囲１０１を、分割固定範囲２０２を除く範囲に変更させる。すなわち、スクロール範囲１０１が、図２６（ｃ）に示すように、表示領域９０において太線で表される多角形の範囲へと縮小され、スクロール範囲縮小処理を終了させる。
【０３２６】
次に、スクロール範囲１０１の拡大処理に関する判定を行う。すなわち、ステップＳ５１１では、スクロール範囲１０１外に分割固定範囲２０２が存在しているため、このステップでの判定は「ＹＥＳ」となる。続くステップＳ５１２では、スクロール範囲１０１のスクロール操作指示方向側の端部位置において分割固定範囲と隣接するか否かを判定する。このステップにおける判定では、図２６（ｃ）に示すように、スクロール範囲１０１のスクロール操作指示方向側の端部位置において分割固定範囲２０２と隣接していないため、ここでの判定は「ＮＯ」となりスクロール範囲１０１の拡大処理を実行せず終了する。
【０３２７】
以上分割スクロールによって、表示装置１０が備える表示部１１において規定されていたスクロール範囲１０１を図２６（ｃ）に示すように縮小させるように変更し、この縮小されたスクロール範囲１０１の表示画像データを左方へ移動させ、図２６（ｄ）に示すような表示状態となる。なお、分割固定範囲２０２はスクロール範囲１０１外となる。このため、この分割固定範囲２０２の表示画像の表示に変更はない。
【０３２８】
また、図２６（ｄ）に示すように、上記した分割スクロールによって、電子データ１００上では離れて配されていた人物６０２と人物６０３とが、表示領域９０上では並んで表示されるように変更されている。ただし、人物６０２が左側に、人物６０３が右側にそれぞれ表示されており、これら２つの表示画像（人物６０２と人物６０３）それぞれの電子データ１００上での配置順は維持されている。
【０３２９】
続いて、図２６（ｄ）に示す表示状態において、本実施の形態に係る表示装置１０がユーザから左方へのスクロール操作指示を受け付け、分割スクロールを行う処理について説明する。上記したように、ユーザからのスクロール操作指示を受け付けると、スクロール範囲１０１の縮小処理の判定を行う。すなわち、図２６（ｄ）に示す表示状態では、スクロール範囲１０１内に分割固定範囲２０２が存在していないため、ステップＳ４０１における判定は「ＮＯ」となる。
【０３３０】
したがって、スクロール範囲１０１の縮小処理は実行されず、スクロール範囲縮小処理を終了させる。次に、スクロール範囲拡大処理に関する判定を行う。すなわち、ステップＳ５１１では、スクロール範囲１０１外に分割固定範囲２０２が存在しているため、このステップでの判定は「ＹＥＳ」となる。続くステップＳ５１２では、スクロール範囲１０１のスクロール操作指示方向側の端部位置において分割固定範囲２０２と隣接するか否かを判定する。このステップにおける判定では、図２６（ｄ）に示すように、スクロール範囲１０１のスクロール操作指示方向側の端部位置において分割固定範囲２０２と隣接しているため、ここでの判定は「ＹＥＳ」となる。このため、スクロール範囲拡大処理の判定において次のステップＳ５１３に進む。
【０３３１】
本実施の形態に係る表示装置１０の表示領域９０において、スクロール範囲１０１と分割固定範囲２０２との間で表示画像が連続しているか否か判定する（Ｓ５１３）。このステップＳ５１３の判定では、スクロール範囲１０１のスクロール操作指示方向側の端部位置と、該端部位置にて隣接する分割固定範囲２０２との境界において、スクロール範囲１０１に表示される表示画像の人物６０３と分割固定範囲２０２に表示される表示画像の人物６０２とが連続する表示内容ではない。このため、このステップＳ５１２における判定は「ＮＯ」となる。
【０３３２】
よって、スクロール範囲１０１の拡大処理は実行されず終了する。したがって、スクロール範囲１０１は変更されず、該スクロール範囲１０１において表示される表示画像が右方へ移動して図２６（ｅ）に示す表示状態となる。
【０３３３】
続いて、図２６（ｅ）に示す表示状態において、本実施の形態に係る表示装置１０がユーザから左方へのスクロール操作指示を受け付け、分割スクロールを行う処理について説明する。上記したように、ユーザからのスクロール操作指示を受け付けると、スクロール範囲１０１の縮小処理の判定を行う。すなわち、図２６（ｅ）に示す表示状態では、スクロール範囲１０１内に分割固定範囲２０２が存在していないため、ステップＳ４０１における判定は「ＮＯ」となる。
【０３３４】
したがって、ステップＳ４０１における判定は「ＮＯ」となるため、スクロール範囲縮小処理は実行されず終了させる。次に、スクロール範囲拡大処理に関する判定を行う。すなわち、ステップＳ５１１では、スクロール範囲１０１外に分割固定範囲２０２が存在しているため、このステップでの判定は「ＹＥＳ」となる。
【０３３５】
続くステップＳ５１２では、スクロール範囲１０１のスクロール操作指示方向側の端部位置において分割固定範囲２０２と隣接するか否かを判定する。このステップにおける判定では、図２６（ｅ）に示すように、スクロール範囲１０１のスクロール操作指示方向側の端部において分割固定範囲２０２と隣接しているため、ここでの判定は「ＹＥＳ」となる。
【０３３６】
上記ステップＳ５１２における判定が「ＹＥＳ」となるため、続いて本実施の形態に係る表示装置１０の表示領域９０において、スクロール範囲１０１と分割固定範囲２０２との間で表示画像の内容が連続しているか否か判定する（Ｓ５１３）。このステップＳ５１３の判定では、スクロール範囲１０１のスクロール操作指示方向側の端部と、該端部に隣接する分割固定範囲２０２との境界において、スクロール範囲１０１に表示される表示画像の人物６０３と分割固定範囲２０２に表示される表示画像の人物６０２との表示内容が連続する。このため、このステップＳ５１２における判定は「ＹＥＳ」となる。
【０３３７】
このようにステップＳ５１３の判定において「ＹＥＳ」となるため、続くステップＳ５１４において、スクロール範囲１０１を、分割固定範囲２０２を含んだ範囲へと拡大させ（図２６（ｆ））、スクロール範囲拡大処理を終了する。
【０３３８】
以上のように、スクロール範囲１０１は拡大され図２６（ｆ）に示す範囲へと変更され、スクロール範囲１０１において表示されている表示画像が右方へ移動し図２７（ａ）に示す表示状態となる。
【０３３９】
続く図２７（ａ）に示す表示状態において、ユーザから左方へのスクロール操作指示を受け付け、分割スクロール処理を実行し図２７（ｂ）の表示状態となる処理の説明は以下の理由のため省略する。すなわち、この処理は、図２６（ａ）の表示状態において、ユーザからの右方へのスクロール操作指示に応じた分割スクロール処理を実行し図２６（ｂ）の表示状態となる上記した処理と、スクロールさせる方向が逆となっている以外は同じである。このため、図２７（ａ）から図２７（ｂ）への処理の説明は省略する。
【０３４０】
続いて、図２７（ｂ）に示す表示状態において、本実施の形態に係る表示装置１０がユーザから左方へのスクロール操作指示を受け付け、分割スクロールを行う処理について説明する。上記したように、ユーザから左方へのスクロール操作指示を受け付けると、スクロール範囲縮小処理の判定を行う。すなわち、図２７（ｂ）に示す表示状態では、スクロール範囲１０１内に分割固定範囲２０２が存在しているため、ステップＳ４０１における判定は「ＹＥＳ」となる。
【０３４１】
このため、ステップＳ４０２において、画像移動方向側の端部位置においてスクロール範囲１０１と分割固定範囲２０２とが一致するか否かを判定する。図２７（ｂ）では、スクロール範囲１０１の画像移動方向側の端部位置において、分割固定範囲２０２の画像移動方向側の端部位置と一致するためこのステップでの判定は「ＹＥＳ」となる。
【０３４２】
このため、スクロール範囲１０１を、分割固定範囲２０２を除く範囲へと縮小させスクロール範囲縮小処理を終了させる。すなわち、このスクロール範囲縮小処理により図２７（ｃ）において太線で示す縮小されたスクロール範囲１０１となる。
【０３４３】
次に、本実施の形態に係る表示装置１０では、スクロール範囲拡大処理に関する判定を行う。すなわち、ステップＳ５１１では、スクロール範囲１０１外に分割固定範囲２０２が存在しているため、このステップでの判定は「ＹＥＳ」となる。
【０３４４】
続くステップＳ５１２では、スクロール範囲１０１のスクロール操作指示方向側の端部において分割固定範囲と隣接するか否かを判定する。このステップにおける判定では、図２７（ｃ）に示すように、スクロール範囲１０１のスクロール操作指示方向側の端部において分割固定範囲２０２と隣接していないため、ここでの判定は「ＮＯ」となる。
【０３４５】
上記ステップＳ５１２における判定が「ＹＥＳ」となるため、続いて本実施の形態に係る表示装置１０の表示領域９０において、スクロール範囲１０１と分割固定範囲２０２との間で表示画像の内容が連続しているか否か判定する（Ｓ５１３）。
【０３４６】
このステップＳ５１３の判定では、スクロール範囲１０１のスクロール操作指示方向側の端部と、該端部に隣接する分割固定範囲２０２との境界において、スクロール範囲１０１に表示される表示画像の人物６０３と分割固定範囲２０２に表示される表示画像の人物６０２とは表示内容が連続するものではない。このため、このステップＳ５１２における判定は「ＮＯ」となる。
【０３４７】
よって、スクロール範囲１０１の拡大処理は実行されず終了する。したがって、スクロール範囲１０１は変更されず、該スクロール範囲１０１において表示される表示画像が右方へ移動して図２７（ｄ）に示す表示状態となる。また、分割固定範囲２０２はスクロール範囲１０１外に設定されており、このため分割固定範囲２０２において表示される表示画像の表示に変更はない。
【０３４８】
続いて、図２７（ｄ）に示す表示状態において、本実施の形態に係る表示装置１０がユーザから上方へのスクロール操作指示を受け付け、分割スクロールを行う処理について説明する。上記したように、ユーザからのスクロール操作指示を受け付けると、スクロール範囲縮小処理の判定を行う。
【０３４９】
すなわち、図２７（ｄ）に示す表示状態では、スクロール範囲１０１内に分割固定範囲２０２が存在していないため、ステップＳ４０１における判定は「ＮＯ」となる。このため、スクロール範囲縮小処理は実行されず終了する。
【０３５０】
次に、上記表示装置１０は、スクロール範囲拡大処理に関する判定を行う。すなわち、ステップＳ５１１では、スクロール範囲１０１外に分割固定範囲２０２が存在しているため、このステップでの判定は「ＹＥＳ」となる。
【０３５１】
続くステップＳ５１２では、スクロール範囲１０１のスクロール操作指示方向側の端部において分割固定範囲と隣接するか否かを判定する。このステップにおける判定では、図２７（ｄ）に示すように、スクロール範囲１０１のスクロール方向側の端部において分割固定範囲２０２と隣接していないため、ここでの判定は「ＮＯ」となる。したがって、スクロール範囲１０１は拡大されず、スクロール範囲拡大処理を終了させる。
【０３５２】
これにより、スクロール範囲１０１の変更はなく、スクロール範囲１０１の表示画像が下方に移動し図２７（ｅ）に示す表状態となる。また、分割固定範囲２０２はスクロール範囲１０１外であるため、分割固定範囲２０２において表示される表示画像に変更はない。
【０３５３】
この図２７（ｅ）に示す表示状態では、分割スクロール処理によって、電子データ１００上では、離れて配されている人物６０１と人物６０２とが並んで表示されている。ただし、人物６０１が左側、人物６０２が右側に表示されており、電子データ１００上での人物６０１と人物６０１との位置関係は維持されている。
【０３５４】
以上のように、分割スクロール処理によって、上下左右キーそれぞれの押下による各方向へのスクロール操作指示を受け付けるだけで分割された画面へのスクロールが可能となる。また、このようにユーザは、分割固定範囲２０２を指定した後、この分割された分割固定範囲２０２に焦点を当てるなど余分な操作を必要とせず操作部１１の操作性を向上させることができる。
【０３５５】
また、各方向への分割スクロールを繰り返しても、スクロール範囲１０１において、該スクロール範囲１０１内に表示される表示画像と分割固定範囲２０２において表示される表示画像との内容が互いに連続するような位置関係を保持したままスクロールされる。
【０３５６】
このため、分割固定範囲２０２に表示された表示画像の位置と、スクロール範囲１０１に表示された表示画像の位置とが逆転して表示されることがなく、ユーザは電子データ１００の位置を把握しやすい。
【０３５７】
以上、電子データ１００として図形などの画像データを用いて表示画像を表示する表示装置１０について説明した。そして、この表示装置１０では、上下左右方向にスクロールするスクロール範囲１０１に対し、矩形の分割固定範囲２０２を指定して分割スクロールする場合について説明した。
【０３５８】
また、上記において、ユーザからの分割固定範囲を指定するための指示として開始位置と終了位置を受け付け、該指示に応じた分割固定範囲を規定する構成であった。この分割固定範囲指定処理はこれに限定されるものではなく、実施例４として示す以下の構成とすることでさらに容易な分割固定範囲の指定処理が可能となる。以下実施例４として、分割固定範囲指定処理の別の構成について図２８および図２９を参照して説明する。
【０３５９】
（実施例４）
図２８は、図４０に示す電子データ１００に基づく表示に対して分割固定範囲２０３を指定する一例を示す図である。この図２８では、電子データ１００を表示させた場合における、ある表示領域９０の一状態を表している。そして、この図２８に示す表示領域９０において太線の矩形で表される範囲は、スクロール範囲１０１を示している。なお、このスクロール範囲１０１は、説明の便宜上、表示領域９０において矩形の太線によって示しているが、スクロール範囲１０１をこのような矩形画像によって必ずしも示す必要はない。
【０３６０】
また、図２９は、図３のステップＳ３０における分割固定範囲指定処理の別の構成を示すフローチャートである。すなわち、図６に示す分割固定範囲指定処理の別の構成を示す。
【０３６１】
まず、図２９において、ステップＳ３０１は、図６に示すステップＳ３１と同様の処理であるため説明は省略する。このステップＳ３０１において操作部１４がユーザから分割固定範囲２０３の指定指示を受け付けた場合（Ｓ３０１において「ＹＥＳ」）、該操作部１４は受け付けた指定指示を表示制御部１３に通知する。
【０３６２】
表示制御部１３は、この指定指示の通知を受信すると、操作部１４に対して、分割固定範囲を指定する情報の入力に対する待ち受けを指示する。このようにしてユーザからの分割固定範囲を指定する情報の入力を待ち受けるように表示制御部１３から指示を受信すると、この指示に応じて、操作部１４はユーザからの分割固定範囲を指定する情報の入力を待ち受ける。
【０３６３】
そして、ユーザから分割固定範囲を指定する情報を受け付けると（Ｓ３０２）、操作部１４がこの受け付けた情報を表示制御部１３に送信する。このユーザから入力される分割固定範囲２０３を指定する情報としては、例えば、図２８に示す表示状態において、Ｙｅ１のような直線を規定する情報が挙げられる。このＹｅ１は、表示領域９０において横書き表示され、上下方向となる画像移動方向に対して垂直となる直線である。
【０３６４】
一方、分割固定範囲の指定指示を受け付けていない間は（Ｓ３０１において「ＮＯ」）、分割固定範囲指定処理を実行しない（リターン）。
【０３６５】
上記したようにユーザから分割固定範囲２０３を指定する情報を受け付けると、表示制御部１３は、操作部１４に対してユーザからのスクロール操作指示の入力情報を待ち受けるように指示する。この表示制御部１３からの指示に応じて、操作部１４がスクロール操作指示の入力に対する待ち受け状態にあるとき、スクロール操作指示を受け付けた場合（Ｓ３０３において「ＹＥＳ」）、この受け付けた入力情報を表示制御部１３に送信しステップＳ３０４へ処理が進む。
【０３６６】
一方、スクロール操作指示の入力情報を受け付けていない間（Ｓ３０３において「ＮＯ」）、このスクロール操作指示を受け付けるまでステップＳ３０３が繰り返される。
【０３６７】
ステップＳ３０４では、表示制御部１３が、表示部１１に対して問い合わせステップＳ３０３において受け付けたスクロール操作指示に応じた画像移動方向側のスクロール範囲１０１の端部位置を示す座標を取得する。
【０３６８】
そして、ステップＳ３０５において、表示制御部１３が、以下のようにして分割固定範囲２０３の決定を行う。すなわち上記ステップＳ３０２で取得した分割位置とステップＳ３０４で取得した画像移動方向側のスクロール範囲１０１の端部位置とによって囲まれる範囲を分割固定範囲２０３として決定する。
【０３６９】
ここで、図３０を参照して上記した分割固定範囲２０３の指定処理についてより具体的に説明する。なおこの図３０は、本実施の形態に係る表示装置１０において、電子データ１００に基づき表示画像を表示した表示状態を示す図であり、同図（ａ）〜（ｃ）は分割固定範囲指定処理を説明する表示状態を示す。
【０３７０】
より具体的には、図３０に示すようにスクロール範囲１０１において、ステップＳ３０２によって分割位置（Ｙｅ１）を指定した後、ユーザによる下ボタンの押下によって下方へのスクロール操作指示を受け付けられた場合、スクロール範囲１０１における画像移動方向側の端部位置（Ｙｅ２）を示す座標を取得する。そして、表示装置１０では、このＹｅ１とＹｅ２とによって囲まれる斜線の範囲を分割固定範囲として決定する。
【０３７１】
このように分割固定範囲２０３を決定した状態において、さらに続けて、下方へのスクロール操作指示に基づく分割スクロールを行った場合、図３０（ｂ）に示すように分割固定範囲２０３を除く範囲をスクロール範囲１０１として縮小させる。そして、図３０（ｃ）に示すようにスクロール範囲１０１において表示されている表示画像に対して下方へのスクロールが実行される。
【０３７２】
また、上記図２８に示す表示状態において、今度は上キーをユーザが押下した場合は、下記図３１に示すように分割固定範囲２０３が決定されることとなる。
【０３７３】
なお、この図３１は、本実施の形態に係る表示装置１０において、電子データ１００に基づき表示画像を表示した表示状態を示す図であり、同図（ａ）〜（ｃ）は分割固定範囲指定処理を説明する表示状態を示す。
【０３７４】
より具体的には、図３１に示すようにスクロール範囲１０１においてステップＳ３０２によって分割位置（Ｙｅ１）を指定した後、ユーザによる上ボタンの押下によって上方へのスクロール操作指示を受け付けた場合、スクロール範囲１０１における画像移動方向側の端部位置（Ｙｅ２）を示す座標を取得する。そして、表示装置１０では、このＹｅ１とＹｅ２とによって囲まれる斜線の範囲を分割固定範囲２０３として決定する。
【０３７５】
このように分割固定範囲２０３を決定した状態において、さらに続けて、上方へのスクロール操作指示に応じた分割スクロール処理を行った場合、図３１（ｂ）に示す表示状態となる、すなわち、スクロール範囲１０１を、分割固定範囲２０３を除く範囲として縮小させる。そして、図３１（ｃ）に示すようにスクロール範囲１０１において表示されている表示画像に対して上方へのスクロール操作指示が実行される。
【０３７６】
以上のように、本実施の形態に係る表示装置１０は、スクロール範囲１０１内で分割位置を指定後、スクロール操作指示を受け付けるだけで分割固定範囲２０３を決定することができる構成である。このように構成されているため、ユーザは分割固定範囲２０３を指定する操作が分割位置の１回だけとなり、より容易に分割固定範囲２０３を指定することができる。
【０３７７】
以上、分割固定範囲指定処理の別の実施例について説明した。この分割固定範囲指定処理では、上記にて先に説明した分割固定範囲指定処理と同様に、分割固定範囲２０３の決定をユーザから受け付けた入力情報に応じて行われていたがこれに限定されるものではない。例えば、下記に示すように表示させる表示画像の電子データ１００に付加された情報に基づき分割固定範囲２０３を指定する構成であってもよい。
【０３７８】
以下において、本実施の別の実施形態（実施形態２）として、表示画像の電子データ１００に付加された情報に基づき分割固定範囲を指定する表示装置１０の構成を、図３２〜図３９を参照して説明する。
【０３７９】
（実施形態２）
本実施の形態（実施形態２）に係る表示装置１０は、上記実施形態１において示した表示装置１０の構成と比較して下記の点が異なる。
【０３８０】
すなわち、スクロール範囲変更処理部３０が機能ブロックとして分割表示範囲判定部３４をさらに備える点で異なる。この分割表示範囲判定部３４は、スクロール範囲１０１の画像移動方向側の端部が、分割表示範囲３０１の端部と隣接するか否か判定するものである。この分割表示範囲判定部３４は、スクロール範囲１０１の画像移動方向側の端部において、分割表示範囲の端部と隣接すると判定した場合、この判定結果をスクロール範囲変更指示部３３に通知する。
【０３８１】
なお、この分割表示範囲３０１とは、分割固定範囲２０４を表示可能とする範囲であって、分割固定範囲２０４は、この分割表示範囲３０１を越えて表示されることはない。このように、上記表示装置１０では、上記分割表示範囲を設定することができる。このため、表示装置１０において表示させるコンテンツの作成者は、該コンテテンツの作成時に分割表示範囲を規定することにより、コンテンツの中のある任意の範囲に対してのみ分割固定範囲の表示が可能となるように設定することができる。
【０３８２】
また、操作部１４がユーザからのスクロール操作指示を受け付けた場合、表示制御部１３が電子データ１００に付加された情報に基づき分割固定範囲２０４および分割表示範囲３０１を特定する点が上記実施形態１に示す表示装置１０と異なる。
【０３８３】
なお、実施形態１に示す表示装置１０が備える部材と同一の部材には同じ符号を付しその説明は省略する。
【０３８４】
図３２は、本発明の別の実施形態に係る表示装置の要部構成を示すブロック図である。
【０３８５】
実施形態２に示す表示装置１０は上記図３２に示す構成を備え、図３３に示す処理フローにより表示処理を実行する。
【０３８６】
ここで、まず上記した構成を有する本実施の形態（実施形態２）に係る表示装置１０の表示処理について図３３を参照して説明する。なお、この図３３は、本実施の形態に係る表示装置１０の表示処理を示すフローチャートである。
【０３８７】
まず、操作部１４がユーザから表示処理の実行指示を受け付けると、この受け付けた指示を表示制御部１３に通知する。表示制御部１３は、操作部１４から受信した通知に応じて、記憶部１５または外部の端末装置２２から電子データ１００を取得し、取得した電子データ１００を不図示のＶＲＡＭに一時記憶させる。このようにして表示装置１０は電子データ１００を読み込む（Ｓ１０００）。
【０３８８】
このようにして電子データ１００を読み込むと、表示装置１０はこの電子データ１００に基づく表示画像を表示部１１に表示させるためにレイアウトデータを作成する。そして、表示装置１０はこの作成したレイアウトデータに基づく表示を行う、レイアウト作成・表示処理を行う（Ｓ２０００）。すなわち、電子データ１００が読み出されると、表示制御部１３からの指示に応じて、ＶＲＡＭに一時記憶されている電子データ１００に基づき、レイアウト部１２が表示用データとしてレイアウトデータを生成する。
【０３８９】
このようにレイアウト作成・表示処理によって、表示部１１に電子データ１００を表示すると、ステップＳ３０００へと処理が進む。なお、このレイアウト作成・表示処理は、ステップＳ２０におけるレイアウト作成・表示処理と同様であるため説明は省略する。
【０３９０】
次のステップＳ３０００では、表示制御部１３が読み込んだ電子データ１００に基づき分割固定範囲２０４を特定する。すなわち、実施形態２に係る表示装置１０が読み込んだ電子データ１００は例えば、図３４に示すように記述されており、分割固定範囲の情報が付加されている。
【０３９１】
この図３４は、本発明の別の実施形態である表示装置１０において表示可能とする電子データ１００の一例を示す図である。この図３４に示す電子データ１００には、分割固定範囲２０４の情報が付加されている。すなわち、この電子データ１００は、ＸＭＬ形式で記述されており、タグ＜ｂｏｄｙ＞〜＜／ｂｏｄｙ＞の間では表示装置１０において表示させる表示画像の内容を表しており、タグ＜ｂｒ／＞は該表示画像における改行位置を表している。
【０３９２】
また、タグ７０１として示される＜ｓｐｌｉｔ＿ａｒｅａ＞からタグ７０４として示される＜／ｓｐｌｉｔ＿ａｒｅａ＞までの間の範囲では、分割表示範囲３０１を表している。したがって、タグ７０１からタグ７０４までの範囲内でのみ分割固定範囲２０４を規定することができる。
【０３９３】
また、タグ７０２として示される＜ｓｐｌｉｔ＿ｉｔｅｍ＞からタグ７０３として示される＜／ｓｐｌｉｔ＿ｉｔｅｍ＞タグまでの間の範囲は分割固定範囲２０４を表す。
【０３９４】
そして、この図３４に示す電子データ１００に基づく表示画像は、例えば図３５に示すように表示部１１において表示される。この図３５は、図３４に示す電子データ１００に基づき表示させた表示画像の一例を示す図である。なお、この図３５において太線の矩形で表す範囲は、表示領域９０においてスクロールを可能とする範囲（スクロール範囲１０１）であり、このスクロール範囲１０１内で表示する例えば文字などを上下方向に移動可能とさせる。
【０３９５】
また、この図３５において、Ｙｇ２からＹｇ３までの間の範囲（斜線部）は、分割固定範囲２０４を示しており、図３４に示す電子データ１００ではタグ７０２からタグ７０３までの間で表された範囲に相当する。
【０３９６】
また、図３５において、Ｙｇ１からＹｇ４までの間の範囲は、分割表示範囲３０１を示しており、図３４に示す電子データ１００ではタグ７０１からタグ７０４までの間で表された範囲に相当する。
【０３９７】
なお、分割固定範囲を示す情報を付加した電子データ１００は図３４に示すようなタグとして記述される形式に限定されるものではなく、電子データ１００のオフセット位置を別データとして保持し、この別データを参照することにより分割固定範囲２０４を確認することができるようになっていてもよい。
【０３９８】
したがって、本実施の形態（実施形態２）に係る表示装置１０は、実施形態１に係る表示装置１０とは異なり、読み込んだ電子データ１００に含まれる分割固定範囲２０４の情報に基づき、スクロール範囲１０１における分割固定範囲２０４の位置を特定することができる。
【０３９９】
表示制御部１３が読み込んだ電子データ１００に基づき分割固定範囲２０４を特定すると、分割スクロール処理を実行する（Ｓ４０００）。ここで、本実施の形態（実施形態２）に係る表示装置１０における分割スクロール処理について図３６を参照して説明する。なお、この図３６は、本発明の別の実施形態に係るものであり、電子データ１００に付加された情報を用いた分割スクロール処理の一例を示すフローチャートである。
【０４００】
図３６に示すように、まず、上記した図７のステップＳ４１と同様に、ユーザからの、スクロール範囲１０１におけるスクロール操作指示を操作部１４が受け付けた場合（Ｓ４１１において「ＹＥＳ」）、上記図７のステップＳ４２と同様にスクロール範囲縮小処理を実行する（Ｓ４１２）。
【０４０１】
一方、操作部１４が、スクロール操作指示を受け付けていない間（Ｓ４１１において「ＮＯ」）は、分割スクロール処理を実行しない（リターン）。
【０４０２】
上記ステップＳ４１２においてスクロール範囲縮小処理の判定を実行した後、今度はスクロール範囲拡大処理の判定を実行する（Ｓ４１３）。なお、ステップＳ４１２のスクロール範囲縮小処理、およびステップＳ４１３のスクロール拡大処理それぞれは、図７に示すステップＳ４２のスクロール範囲縮小処理、およびステップＳ４３のスクロール拡大処理と同様であるためその説明は省略する。
【０４０３】
ステップＳ４１３においてスクロール拡大処理の判定を実行した後、続くステップＳ４１４では、表示制御部１３が分割表示範囲判定処理を行う。分割表示範囲判定処理については後述する。分割表示範囲判定処理が終了するとステップＳ４１５へ進み、レイアウト作成・表示処理を実行する。このレイアウト作成・表示処理は、上記した図３のステップＳ２０のレイアウト作成・表示処理と同様であるため説明は省略する。
【０４０４】
ここで、図３７を参照して上記した分割表示範囲判定処理の詳細について説明する。
【０４０５】
図３７は、本発明の別の実施形態に係る表示装置１０における分割表示範囲判定処理を示すフローチャートである。
【０４０６】
ステップＳ４１３においてスクロール範囲拡大処理の判定を実行した後、続くステップＳ４１１１では、表示制御部１３が、表示部１１に問い合わせてスクロール範囲１０１外に分割固定範囲２０４が存在するかを判定する。スクロール範囲１０１外に分割固定範囲２０４が存在する場合（Ｓ４１１１において「ＹＥＳ」）、ステップＳ４１１２へ処理が進む。一方、スクロール範囲１０１外に分割固定範囲２０４が存在しない場合（Ｓ４１１１において「Ｎｏ」）、分割表示範囲判定処理を終了する。
【０４０７】
続くステップＳ４１１２では、表示制御部１３が、表示部１１の表示領域９０においてスクロール範囲１０１外に分割固定範囲２０４が存在すると判定した場合、分割固定位置範囲判定部３１に対して、スクロール範囲１０１と分割固定範囲２０４との位置関係を確認するように指示する。すなわち、表示制御部１３が、スクロール範囲１０１の画像移動方向側の端部において、分割固定範囲２０４と隣接するか否かを判定するように分割固定範囲位置判定部３１に対して指示する。この指示に応じて、分割固定範囲位置判定部３１が、スクロール範囲１０１の画像移動方向側の端部において、分割固定範囲２０４の端部と隣接するか否か判定する。
【０４０８】
このステップＳ４１１２での判定において、分割固定範囲位置判定部３１が、スクロール範囲１０１の画像移動方向側の端部において、分割固定範囲２０４と隣接すると判定した場合（Ｓ４１１２において「ＹＥＳ」）、この判定結果を分割表示範囲判定部３４に通知する。分割表示範囲判定部３４は、この通知を受信すると、スクロール範囲１０１の画像移動方向側の端部において、分割表示範囲３０１の端部と隣接するか否か判定する（Ｓ４１１３）。
【０４０９】
このステップＳ４１１３での判定において、分割表示範囲判定部３４が、スクロール範囲１０１の画像移動方向側の端部において、分割表示範囲３０１の端部と隣接すると判定した場合（Ｓ４１１３において「ＹＥＳ」）、この判定結果をスクロール範囲変更指示部３３に通知する。スクロール範囲変更指示部３３は、分割表示範囲判定部３４からの通知に応じて、スクロール範囲１０１を、該スクロール範囲１０１と隣接する分割固定範囲２０４を含む範囲に変更させる（Ｓ４１１４）。このようにしてスクロール範囲１０１が変更されると表示装置１０は、分割表示範囲判定処理を終了する（リターン）。
【０４１０】
一方、ステップＳ４１１３の判定において「ＮＯ」の場合、分割表示範囲判定処理を終了する（リターン）。
【０４１１】
上記した分割表示範囲判定処理について図３８および図３９を参照してより具体的に説明する。図３８は、本実施の形態に係る表示装置１０の表示領域９０において、分割固定範囲２０４を電子データ１００に基づき指定し、ユーザからの下方へのスクロール操作指示を受け付けた場合の表示状態を示す図であり、同図（ａ）〜（ｄ）はそれぞれ、表示領域９０における表示状態の一例を示している。またここでは、下キーを一回押下すると、表示領域９０におけるレイアウトが下方に１行分スクロールされる、すなわち表示画像が上方向に１行分移動するものとする。
【０４１２】
この図３８において、図３８（ａ）、図３８（ｂ）、図３８（ｄ）それぞれに示す表示状態は、図３５に示す表示状態からスクロール操作指示を受け付け、順に分割スクロール処理を繰り返した状態を表している。一方、図３８（ｃ）に示す表示状態は、分割スクロール処理によって図３８（ｂ）から図３８（ｄ）へと表示状態が変更させられる際のスクロール範囲１０１の変更を表す。
【０４１３】
また、図３９は、本実施の形態に係る表示装置１０の表示領域９０において、分割固定範囲２０４を電子データ１００に基づき指定し、ユーザからの下方へのスクロール操作指示を受け付けた場合の表示状態を示す図であり、同図（ａ）〜（ｄ）はそれぞれ、表示領域９０における表示状態の一例を示している。
【０４１４】
この図３９において、図３９（ａ）、図３９（ｃ）、図３９（ｄ）それぞれに示す表示状態は、図３５に示す表示状態から繰り返しスクロール操作指示を受け付け、順に分割スクロール処理を繰り返した状態を表している。一方、図３９（ｂ）に示す表示状態は、分割スクロール処理によって図３９（ａ）から図３９（ｃ）へと表示状態が変更させられる際のスクロール範囲１０１の変更を表す。
【０４１５】
まず、ここで図３５に示す状態から、ユーザからの下方へのスクロール操作指示を受け付けた場合における表示装置１０での分割スクロール処理について説明する。
【０４１６】
操作部１４が、ユーザからの下方へのスクロール操作指示を受け付けた場合、スクロール範囲縮小処理の判定を行う（Ｓ４１２）。ここで、図３５に示すように、スクロール範囲１０１の端部位置と、電子データ１００に基づき指定された分割固定範囲の端部位置とが一致していないため、スクロール範囲１０１を縮小させることなくスクロール範囲縮小処理を終了する。
【０４１７】
一方、次のスクロール範囲拡大処理の判定（Ｓ４１３）では、スクロール範囲１０１外において分割固定範囲２０４が存在しないため、スクロール範囲１０１を拡大させることなくスクロール拡大処理を終了する。
【０４１８】
なお、上記ステップＳ４１２およびステップＳ４１３において示すスクロール範囲縮小処理およびスクロール範囲拡大処理については上記実施形態１に示すスクロール範囲縮小処理およびスクロール範囲拡大処理と同様であるため、ここでの説明は省略するものとする。
【０４１９】
スクロール範囲拡大処理の判定が終了すると、次に表示装置１０では、分割表示範囲判定処理の判定を実行する（Ｓ４１４）。
【０４２０】
すなわち、まず、表示装置１０の表示制御部１３は、表示部１１に問い合わせて、スクロール範囲１０１外に分割固定範囲２０４が存在するか否かを判定する（Ｓ４１１１）。このステップＳ４１１１では、図３５に示すようにスクロール範囲１０１外に分割固定範囲２０４が存在しないため、ここでの判定は「ＮＯ」となり、分割表示範囲判定処理を終了する（リターン）。
【０４２１】
これにより、スクロール範囲１０１に変更はなく、スクロール範囲１０１に表示された表示画像が、ユーザからの下方へのスクロール操作指示に応じた表示状態（図３８（ａ））となる。なお、この図３８（ａ）に示す表示状態では、図３５に示す表示状態からスクロール範囲１０１において画像移動方向（上方向）に１行分移動させた状態であり、この移動に伴い分割固定範囲２０４および分割表示範囲３０１も移動している。このため、図３８（ａ）では、スクロール範囲１０１の画像移動方向側の端部と、分割表示範囲３０１の画像移動方向側の端部とが一致した状態となっている。
【０４２２】
続けて、図３８（ａ）に示す表示状態においてユーザからの下方へのスクロール操作指示を受け付けると、図３８（ａ）に示す表示状態から図３８（ｂ）に示す表示状態へと変更する。なお、この図３８（ａ）から図３８（ｂ）への表示状態の変更は、上記した図３５から図３８（ａ）への表示状態の変更と同様であるため説明は省略する。
【０４２３】
したがって、スクロール範囲１０１に変更はなく、スクロール範囲１０１に表示された表示画像を画像移動方向（上方）に１行分移動させた表示状態となる。なお、図３８（ｂ）に示す表示状態では、図３８（ａ）に示す表示状態から、スクロール範囲１０１に表示されている表示画像を画像移動方向（上方向）に１行分移動させるため、この移動に伴い分割固定範囲２０４および分割表示範囲３０１も移動する。このため、図３８（ｂ）では、スクロール範囲１０１の画像移動方向側の端部と、分割固定範囲の画像移動方向側の端部とが一致した状態となっている。
【０４２４】
さらに、図３８（ｂ）に示す表示状態から下方へのスクロール操作指示を受け付け実行する分割スクロール処理について説明する。図３８（ｂ）に示す表示状態において、ユーザから下方へのスクロール操作指示を操作部１４が受け付ける（Ｓ４１１において「ＹＥＳ」）と、ステップ４１２においてスクロール範囲縮小処理の判定を実行する。
【０４２５】
このスクロール範囲縮小処理では、分割固定範囲２０４がスクロール範囲１０１内にあり、該スクロール範囲１０１の画像移動方向側の端部と該分割固定範囲の画像移動方向側の端部とが一致する。このため、スクロール範囲１０１を、分割固定範囲２０４を除く範囲に縮小させ（図３８（ｃ））、処理を終了させる。
【０４２６】
続く、ステップＳ４１３のスクロール範囲拡大処理では、図３８（ｃ）に示す状態では、スクロール範囲１０１のスクロール操作方向側の端部において、分割固定範囲２０４のスクロール操作側の端部が隣接していないため、スクロール範囲拡大処理は実行されず処理を終了する。
【０４２７】
スクロール範囲拡大処理の判定を実行した後、表示装置１０は分割表示範囲判定処理（Ｓ４１４）を実行する。すなわち、まずステップＳ４１１において、図３８（ｃ）に示す状態ではスクロール範囲１０１外に分割固定範囲２０４が存在することから「ＹＥＳ」となり、ステップＳ４１１２に進む。
【０４２８】
続くステップＳ４１１２では、スクロール範囲１０１の画像移動方向側の端部において、分割固定範囲２０４と隣接するか判定する。この判定において、図３８（ｃ）に示す状態では、スクロール範囲１０１の画像移動方向側の端部において、分割固定範囲２０４と隣接するため「ＹＥＳ」となり、次のステップＳ４１１３に進む。
【０４２９】
ステップＳ４１１３において、図３８（ｃ）に示す状態では、スクロール範囲１０１の画像移動方向側の端部において分割表示範囲３０１の端部と隣接していない。このため、このステップＳ４１１３での判定は「ＮＯ」となり、分割表示範囲判定処理を終了する（リターン）。
【０４３０】
これにより、図３８（ｂ）に示す表示状態におけるスクロール範囲１０１が、図３８（ｃ）に示す範囲に縮小される。また、スクロール範囲１０１において表示されている表示画像が、下方へのスクロール操作指示に応じてスクロールされ、図３８（ｄ）に示す表示状態となる。
【０４３１】
なお、このとき分割固定範囲２０４がスクロール範囲１０１外であるため、上記下方へのスクロール操作指示に応じて分割固定範囲に表示される表示画像の表示に変更が生じることがない。
【０４３２】
さらにまた、図３８（ｄ）に示す表示状態において、ユーザから下方へのスクロール操作指示を受け付けた場合に実行する分割スクロール処理ついて説明する。
【０４３３】
図３８（ｄ）に示す表示状態において、ユーザから下方へのスクロール操作指示を操作部１４が受け付ける（Ｓ４１１において「ＹＥＳ」）と、ステップ４１２においてスクロール範囲縮小処理の判定を実行する。
【０４３４】
このスクロール範囲縮小処理では、分割固定範囲２０４がスクロール範囲１０１外となるためスクロール範囲１０１の縮小が行われず、スクロール範囲縮小処理を終了させる。
【０４３５】
続く、ステップＳ４１３のスクロール範囲拡大処理の判定において、図３８（ｄ）に示す状態では、スクロール範囲１０１のスクロール操作方向側の端部において分割固定範囲２０４のスクロール操作方向側の端部が隣接していないため、スクロール範囲拡大処理は実行されず処理を終了する。
【０４３６】
スクロール範囲拡大処理の判定を実行した後、表示装置１０は分割表示範囲判定処理（Ｓ４１４）を実行する。すなわち、まずステップＳ４１１において、図３８（ｄ）に示す表示状態ではスクロール範囲１０１外に分割固定範囲２０４が存在することから「ＹＥＳ」となり、ステップＳ４１１２に進む。
【０４３７】
続くステップＳ４１１２では、スクロール範囲１０１の画像移動方向側の端部において、分割固定範囲２０４と隣接するか判定する。この判定において、図３８（ｄ）に示す状態では、スクロール範囲１０１の画像移動方向側の端部において、分割固定範囲と隣接するため「ＹＥＳ」となり、次のステップＳ４１１３に進む。
【０４３８】
ステップＳ４１１３において、図３８（ｄ）に示す状態では、スクロール範囲１０１の画像移動方向側の端部において分割表示範囲３０１の端部と隣接していない。このため、このステップＳ４１１３での判定は「ＮＯ」となり、分割表示範囲判定処理を終了する（リターン）。
【０４３９】
これにより、図３８（ｄ）に示す表示状態におけるスクロール範囲１０１は、図３８（ｃ）において縮小されたままである。また、スクロール範囲１０１において表示されている表示画像が、ユーザからの下方へのスクロール操作指示に応じてスクロールされ、図３９（ａ）に示す表示状態となる。なお、このとき分割固定範囲２０４がスクロール範囲１０１外であるため、上記下方へのスクロール操作指示に応じて分割固定範囲２０４に表示される表示画像の表示に変更が生じることがない。
【０４４０】
また、図３９（ａ）に示す表示状態では、分割表示範囲３０１の画像移動方向側とは反対側となる端部がスクロール範囲１０１の画像移動方向側の端部に隣接している状態である。
【０４４１】
さらにまた、図３９（ａ）に示す表示状態において、ユーザから下方へのスクロール操作指示を受け付けた場合に実行する分割スクロール処理ついて説明する。
【０４４２】
図３９（ａ）に示す表示状態において、ユーザからの下方へのスクロール操作指示を操作部１４が受け付ける（Ｓ４１１において「ＹＥＳ」）と、ステップ４１２においてスクロール範囲縮小処理の判定を実行する。
【０４４３】
このスクロール範囲縮小処理では、分割固定範囲２０４がスクロール範囲１０１外となるためスクロール範囲１０１の縮小が行われず、スクロール範囲縮小処理を終了させる。
【０４４４】
続く、ステップＳ４１３のスクロール範囲拡大処理の判定において、図３９（ａ）に示す状態では、スクロール範囲１０１のスクロール操作指示方向側の端部において分割固定範囲２０４と隣接していないため、スクロール範囲拡大処理は実行されず処理を終了する。
【０４４５】
スクロール範囲拡大処理の判定を実行した後、表示装置１０は分割表示範囲判定処理（Ｓ４１４）を実行する。すなわち、まずステップＳ４１１１において、図３９（ａ）に示す表示状態ではスクロール範囲１０１外に分割固定範囲２０４が存在することから「ＹＥＳ」となり、ステップＳ４１１２に進む。
【０４４６】
続くステップＳ４１１２では、スクロール範囲１０１の画像移動方向側の端部において、分割固定範囲２０４と隣接するか判定する。この判定において、図３９（ａ）に示す状態では、スクロール範囲１０１の画像移動方向側の端部において、分割固定範囲２０４と隣接するため「ＹＥＳ」となり、次のステップＳ４１１３に進む。
【０４４７】
ステップＳ４１１３において、図３９（ａ）に示す状態では、スクロール範囲１０１の画像移動方向側の端部において分割表示範囲３０１の端部と隣接している。このため、このステップＳ４１１３での判定は「ＹＥＳ」となり、スクロール範囲１０１を、分割固定範囲２０４を含む範囲に変更させる（図３９（ｂ））。
【０４４８】
そして、スクロール範囲１０１において表示されている表示画像が、下方へのスクロール操作指示に応じて表示領域９０における上方向に移動し図３９（ｃ）に示す表示状態となる。なお、この図３９（ｃ）に示す表示状態では、スクロール範囲１０１内の分割固定範囲２０４に表示されている表示画像が上記スクロール操作指示に応じて移動することで、該表示画像の一部が非表示となっている。
【０４４９】
さらに、図３９（ｃ）に示す表示状態において、ユーザからの下方へのスクロール操作指示を操作部１４が受け付ける（Ｓ４１１において「ＹＥＳ」）と、ステップ４１２においてスクロール範囲縮小処理の判定を実行する。
【０４５０】
このスクロール範囲縮小処理では、スクロール範囲１０１に分割固定範囲２０４が存在するが、スクロール範囲１０１の画像移動方向側の端部と分割固定範囲２０４の画像移動方向側の端部とが一致しないためスクロール範囲１０１の縮小が行われず、スクロール範囲縮小処理を終了させる。
【０４５１】
続く、ステップＳ４１３のスクロール範囲拡大処理の判定において、図３９（ｃ）に示す状態では、スクロール範囲１０１のスクロール操作方向側の端部において分割固定範囲２０４のスクロール操作側の端部とが隣接していないため、スクロール範囲拡大処理は実行されず処理を終了する。
【０４５２】
これによりスクロール範囲１０１は図３９（ｃ）のまま変更なく、このスクロール範囲１０１において表示される表示画像が下方への操作指示に応じてスクロールした状態、すなわち図３９（ｄ）に示す表示状態となる。
【０４５３】
以上のように、電子データ１００に付加された分割固定範囲２０４の情報を用いた分割スクロール処理によって、下ボタンの押下による下方へのスクロール操作だけで画面を分割したスクロールが可能となる。
【０４５４】
なお、分割表示範囲３０１の指定は、電子データ１００に付加された情報を用いた分割固定範囲指定処理に限ったものではなく、前述の実施形態においてもユーザが、分割固定範囲指定後に分割表示範囲３０１を指定することで同様の処理となる。
【０４５５】
なお、本実施の形態に係る表示装置１０は以下に示す構成を有するものと言える。すなわち、本実施の形態に係る表示装置１０は、表示範囲を分割して電子データを表示する表示装置であって、スクロールする範囲を取得するスクロール範囲取得手段と、前記スクロール範囲を分割して表示を固定する範囲を少なくとも１つ指定する分割固定範囲指定手段と、前記スクロール範囲内をスクロールさせるスクロール操作手段と、前記スクロール操作に伴い前記分割固定範囲がスクロール範囲内の末端に存在するか判定するスクロール範囲内末端判定手段と、前記判定に従い前記スクロール範囲を前記末端に存在する分割固定範囲を除く範囲に変更するスクロール範囲変更手段とを備えることを特徴とする。
【０４５６】
上記構成によると、電子データを表示しているスクロール範囲に、ユーザが分割固定範囲を指定する。範囲の指定は、座標でもよいし、行列方向の直線で指定してもよい。分割固定範囲を含むスクロール範囲内がスクロールして、スクロール方向とは逆方向になる画像移動方向の末端に分割固定範囲が隣接しているか判定する。分割固定範囲が隣接していた場合、スクロール範囲を分割固定範囲を除く範囲に変更する。これにより、分割固定範囲はスクロール範囲から外れ、レイアウトが変更されない固定範囲となるため、１方向の操作だけで画面分割したスクロールが可能となる。
【０４５７】
また、本実施の形態に係る表示装置１０は、上記した構成において、前記スクロール範囲変更手段により前記スクロール範囲外となった前記分割固定範囲が、前記スクロール範囲と隣接しているか判定するスクロール範囲外末端判定手段と、前記判定した分割固定範囲の電子データと前記スクロール範囲の隣接している電子データが境界で連続であるか判定する境界判定手段とをさらに備え、前記スクロール範囲変更手段は、前記判定に従い前記前記スクロール範囲を変更するように構成されていてもよい。
【０４５８】
上記構成によると前記スクロール範囲変更の後、前記スクロール方向とは逆の方向にスクロール操作を行った場合、スクロール範囲外に存在する分割固定範囲が、スクロール範囲のスクロール方向の末端に隣接しているか判定する。スクロール範囲外に分割固定範囲が隣接していた場合、隣接している境界で、スクロール範囲内の電子データと分割固定範囲の電子データが連続であるか判定する。電子データが連続と判断された場合、スクロール範囲を分割固定範囲を含む範囲に変更する。これにより、分割固定範囲が再びスクロール範囲に含まれるため、レイアウトが重複することがなく、電子データの表示位置が逆さになることがない。
【０４５９】
また、本実施の形態に係る表示装置１０は、上記した構成において、前記分割固定範囲指定手段は、前記スクロール範囲の任意の位置を指定し、前記スクロール操作に伴い前記指定の位置から前記スクロール範囲の末端までを表示を固定する範囲とするように構成されていてもよい。
【０４６０】
また、上記構成によると、前記分割固定範囲の指定は、ユーザが任意の位置を一箇所指定し、その後のスクロール操作によって、スクロール方向と逆方向となる画像移動方向のスクロール範囲の末端と、ユーザが指定した位置で囲まれる範囲を分割固定範囲とする。これにより、ユーザは分割位置を指定した後にスクロール操作するだけでよく、分割固定する範囲を指定する必要がないので操作が容易になる。
【０４６１】
また、本実施の形態に係る表示装置は、上記した構成において、前記分割固定範囲指定手段は、電子データに付加された情報を用いて指定するように構成されていてもよい。
【０４６２】
また、本実施の形態に係る表示装置は、上記した構成において、前記スクロール範囲を解除するスクロール範囲解除手段をさらに備えることが好ましい。
【０４６３】
また、本実施の形態に係る表示装置は、上記した構成において、前記分割固定範囲指定手段は、矩形範囲を指定するように構成されていてもよい。
【０４６４】
また、本実施の形態に係る表示装置は、上記した構成において、前記電子データに付加された情報は、スクリプトにタグで指定するように構成されていてもよい。
【０４６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０４６６】
なお、前記分割固定範囲の指定は、ユーザの操作によって指定される範囲によって決定されるものに限らず、電子データに付加された位置や範囲の情報に従って、分割固定範囲を指定する。これにより、電子データ作成者が常に表示しておきたい内容を画面分割させて表示させることが可能となる。
【０４６７】
以上のように、本発明によれば、スクロール範囲が分割固定範囲を含む範囲、もしくは除く範囲へ変更されるので、それぞれの分割画面で表示内容が重複することがなく、表示内容の位置が分割画面内で逆転しないという効果が得られる。また、同様にして、一方向のスクロールで分割画面のスクロールを制御できるという効果が得られる。
【産業上の利用可能性】
【０４６８】
本発明に係る表示装置は、上記設定手段と、上記受け付け手段と、上記判定手段と、上記判定手段による判定結果に応じて、上記スクロール範囲を変更させる変更手段とを備える。このため、表示領域を複数の領域に分割させ、該分割された表示領域において表示される画像をスクロールさせる表示装置に広く適用できる。
【図面の簡単な説明】
【０４６９】
【図１】本実施の形態に係る表示装置の要部構成を示すブロック図である。
【図２】本実施の形態に係る表示装置の概略構成を示す図である。
【図３】本実施の形態に係る表示装置の表示処理を示すフローチャートである。
【図４】本実施の形態に係る表示装置におけるレイアウト作成・表示処理を示すフローチャートである。
【図５】本実施の形態に係るスクロール範囲において分割固定範囲を指定する一例を示す図である。
【図６】本実施の形態に係る表示装置における分割固定範囲指定処理を説明するフローチャートである。
【図７】本実施の形態に係る表示装置における分割スクロール処理を示すフローチャートである。
【図８】本実施の形態に係る表示装置のスクロール範囲において表示された表示画像を、ユーザからの下方向への操作指示に応じてスクロールした場合の表示状態を示す図であり、同図（ａ）〜（ｃ）はそれぞれ、表示領域における表示状態の一例を示している。
【図９】本実施の形態に係る表示装置のスクロール範囲における表示画像を、ユーザからの上方向への操作指示に応じてスクロールした場合の表示状態を示す図であり、同図（ａ）および（ｂ）はそれぞれ、表示領域における表示状態の一例を示している。
【図１０】本実施形態に係る表示装置におけるスクロール縮小処理を示すフローチャートである。
【図１１】本実施の形態に係る表示装置の表示領域における表示画像を下方向へのスクロール操作指示に応じてスクロールした場合の表示状態を示す図であり、同図（ａ）および（ｂ）はそれぞれ、表示領域における表示状態の一例を示している。
【図１２】本実施形態に係る表示装置におけるスクロール範囲拡大処理を示すフローチャートである。
【図１３】本実施の形態に係る表示装置の表示領域における表示画像を上方向にスクロールした場合の表示状態を示す図であり、同図（ａ）〜（ｃ）はそれぞれ、表示領域における表示状態の一例を示している。
【図１４】本実施の形態に係る表示装置の表示領域における表示画像を上方向にスクロールした場合の表示状態を示す図であり、同図（ａ）〜（ｃ）はそれぞれ、表示領域における表示状態の一例を示している。
【図１５】本実施の形態に係る表示装置の表示領域における表示画像を上方向にスクロールした場合の表示状態を示す図であり、同図（ａ）および（ｂ）はそれぞれ、表示領域における表示状態の一例を示している。
【図１６】本実施の形態に係る表示装置における表示状態の一例を示すものであり、同図（ａ）〜（ｃ）それぞれは、分割固定範囲解除処理時における表示状態の一例を示す。
【図１７】本実施の形態に係る表示装置における分割固定範囲解除処理の一例を示すフローチャートである。
【図１８】本実施の形態に係る表示装置のスクロール範囲において分割固定範囲を指定する一例を示す図である。
【図１９】本実施の形態に係る表示装置のスクロール範囲における表示画像を、左方向へのスクロール操作指示によりスクロールさせた場合の表示状態を示す図であり、同図（ａ）〜（ｄ）はそれぞれ、表示領域における表示状態の一例を示している。
【図２０】本実施の形態に係る表示装置の表示領域における表示画像を右方向にスクロールした場合の表示状態を示す図であり、同図（ａ）〜（ｄ）はそれぞれ、表示領域における表示状態の一例を示している
【図２１】本実施の形態に係る表示装置のスクロール範囲に対して分割固定範囲を複数指定する一例を示す図である。
【図２２】本実施の形態に係る表示装置の表示領域において、分割固定範囲を複数指定し、下方へのスクロール操作指示に応じてスクロールした表示状態を示す図であり、同図（ａ）〜（ｆ）はそれぞれ、表示領域における表示状態の一例を示している。
【図２３】本実施の形態に係る表示装置の表示領域において、分割固定範囲を複数指定し、上方へのスクロール操作指示に応じてスクロールした表示状態を示す図であり、同図（ａ）〜（ｆ）はそれぞれ、表示領域における表示状態の一例を示している。
【図２４】本実施の形態に係る表示装置において表示される表示画像の電子データの一例を示す図である。
【図２５】図２４に示された電子データに基づき表示領域に表示された表示画像の中の人物に対して分割固定範囲を指定する一例を示す図である。
【図２６】本実施の形態に係る表示装置の表示領域において、分割固定範囲を指定し、左方または右方へのスクロール操作指示に応じてスクロールした場合の表示状態を示す図であり、同図（ａ）〜（ｆ）はそれぞれ、表示領域における表示状態の一例を示している。
【図２７】本実施の形態に係る表示装置の表示領域において、分割固定範囲を指定し、左右あるいは上下へのスクロール操作指示に応じてスクロールした場合の表示状態を示す図であり、同図（ａ）〜（ｅ）はそれぞれ、表示領域における表示状態の一例を示している。
【図２８】本実施の形態に係る表示装置のスクロール範囲において分割固定範囲を指定する一例を示す図である。
【図２９】分割固定範囲指定処理の別の構成を示すフローチャートである。
【図３０】本実施の形態に係る表示装置において、電子データに基づき表示画像を表示した表示状態を示す図であり、同図（ａ）〜（ｃ）は分割固定範囲指定処理を説明する表示状態を示す。
【図３１】本実施の形態に係る表示装置において、電子データに基づき表示画像を表示した表示状態を示す図であり、同図（ａ）〜（ｃ）は分割固定範囲指定処理を説明する表示状態を示す。
【図３２】本発明の別の実施形態に係る表示装置の要部構成を示すブロック図である。
【図３３】本実施の形態に係る表示装置の表示処理を示すフローチャートである。
【図３４】本発明の別の実施形態である表示装置において表示可能とする電子データの一例を示す図である。
【図３５】図３４に示す電子データに基づき表示させた表示画像の一例を示す図である。
【図３６】本発明の別の実施形態に係るものであり、電子データに付加された情報を用いた分割スクロール処理の一例を示すフローチャートである。
【図３７】本発明の別の実施形態に係る表示装置における分割表示範囲判定処理を示すフローチャートである。
【図３８】本実施の形態に係る表示装置の表示領域において、分割固定範囲を電子データに基づき指定し、ユーザからの下方へのスクロール操作指示を受け付けた場合の表示状態を示す図であり、同図（ａ）〜（ｄ）はそれぞれ、表示領域における表示状態の一例を示している。
【図３９】本実施の形態に係る表示装置の表示領域において、分割固定範囲を電子データに基づき指定し、ユーザからの下方へのスクロール操作指示を受け付けた場合の表示状態を示す図であり、同図（ａ）〜（ｄ）はそれぞれ、表示領域における表示状態の一例を示している
【図４０】従来技術を示すものであり、表示可能な電子データの一例を示す図である。
【図４１】従来技術を示すものであり、図４０に示す電子データの表示例を示す図である。
【図４２】スクロール範囲の分割を示す図であり、同図（ａ）は、スクロール範囲において分割する位置を指定している状態の一例を示し、同図（ｂ）は、指定された位置にてスクロール範囲を分割した一例を示す図である。
【符号の説明】
【０４７０】
１０    表示装置
１１    表示部
１２    レイアウト部
１３    表示制御部（設定手段・スクロール範囲解除手段）
１４    操作部（受け付け手段・位置指定情報受け付け手段・設定解除指示受け付け手段）
３０    スクロール範囲変更処理部
３１    分割固定範囲位置判定部（判定手段・端部判定手段・隣接判定手段）
３２    データ連続性判定部（判定手段・連続判定手段）
３３    スクロール範囲変更指示部（変更手段）
９０    表示領域
１００  電子データ
１０１  スクロール範囲
２０１・２０１ａ・２０１ｂ・２０２・２０３・２０４  分割固定範囲（固定範囲）
【図１】
2007079644.tif 000003
【図２】
2007079644.tif 000004
【図３】
2007079644.tif 000005
【図４】
2007079644.tif 000006
【図５】
2007079644.tif 000007
【図６】
2007079644.tif 000008
【図７】
2007079644.tif 000009
【図８】
2007079644.tif 000010
【図９】
2007079644.tif 000011
【図１０】
2007079644.tif 000012
【図１１】
2007079644.tif 000013
【図１２】
2007079644.tif 000014
【図１３】
2007079644.tif 000015
【図１４】
2007079644.tif 000016
【図１５】
2007079644.tif 000017
【図１６】
2007079644.tif 000018
【図１７】
2007079644.tif 000019
【図１８】
2007079644.tif 000020
【図１９】
2007079644.tif 000021
【図２０】
2007079644.tif 000022
【図２１】
2007079644.tif 000023
【図２２】
2007079644.tif 000024
【図２３】
2007079644.tif 000025
【図２４】
2007079644.tif 000026
【図２５】
2007079644.tif 000027
【図２６】
2007079644.tif 000028
【図２７】
2007079644.tif 000029
【図２８】
2007079644.tif 000030
【図２９】
2007079644.tif 000031
【図３０】
2007079644.tif 000032
【図３１】
2007079644.tif 000033
【図３２】
2007079644.tif 000034
【図３３】
2007079644.tif 000035
【図３４】
2007079644.tif 000036
【図３５】
2007079644.tif 000037
【図３６】
2007079644.tif 000038
【図３７】
2007079644.tif 000039
【図３８】
2007079644.tif 000040
【図３９】
2007079644.tif 000041
【図４０】
2007079644.tif 000042
【図４１】
2007079644.tif 000043
【図４２】
2007079644.tif 000044